(57)【特許請求の範囲】
【請求項１】
遊技球が流下する遊技領域が画成された遊技盤と、前記遊技盤に配設されて前記遊技領域内に位置する装飾部材とを備え、前記遊技領域には、前記装飾部材に対し前記遊技球の打ち出し側に位置する第１の流下経路および打ち出し側と反対側に位置する第２の流下経路が設けられて、特定条件成立を契機として前記第１の流下経路から第２の流下経路に打ち出し位置を切り換えて遊技を行なうよう構成された遊技機において、
前記第２の流下経路は、球流下領域と、前記球流下領域の下方に設けられた球案内路とを備え、
前記球案内路は、前記球流下領域の外縁側に開口して前記遊技球の通入を許容する通入部と、前記通入部より前記遊技領域の左右中央側に位置して、該通入部から通入した遊技球の通出を許容する通出部と、前記通入部から通出部に亘って延在して当該球案内路の球通過経路を画成する壁部とを備え、
前記球案内路は、前記通入部から下方に向かうにつれて該通入部より前記遊技領域の左右中央側へ徐々に変位する縦案内路を備え、
前記壁部は、前記縦案内路における遊技領域の左右中央側の内面を画成する内側壁部、および球通過方向と交差する方向で該内側壁部と対向する内面を画成する外側壁部を備え、
前記内側壁部には、前記縦案内路内へ突出して、該内側壁部から突出端に近づくにつれて下方へ傾斜する上緩衝面を備えた第１緩衝部が設けられると共に、前記外側壁部には、該縦案内路内へ突出して、該外側壁部から突出端に近づくにつれて下方へ傾斜する上緩衝面を備えた第２緩衝部が設けられ、
前記第１緩衝部における上緩衝面の傾斜角度が、前記第２緩衝部における上緩衝面の傾斜角度よりも大きく設定され、
前記第２の流下経路を流下して前記球案内路を通過する遊技球が、前記縦案内路を流下する際に前記第１緩衝部の上緩衝面および第２緩衝部の上緩衝面に接触して勢いが低減されたもとで、前記通出部より前記遊技領域の左右中央側に配設された入賞装置またはアウト口に向け案内されるよう構成した
ことを特徴とする遊技機。
【請求項２】
前記各第１緩衝部は、その突出端から内側壁部に近づくにつれて下方へ傾斜する下緩衝面を備えると共に、
前記各第２緩衝部は、その突出端から外側壁部に近づくにつれて下方へ傾斜する下緩衝面を備え、
前記第１緩衝部は、水平に対する上緩衝面の傾斜角度が水平に対する下緩衝面の傾斜角度より大きく設定され、前記第２緩衝部は、水平に対する上緩衝面の傾斜角度が水平に対する下緩衝面の傾斜角度より小さく設定された請求項１記載の遊技機。
【請求項３】
前記装飾部材は、前記遊技盤の後側に配設された遊技装置が後方から臨む表示窓口が内側に画成された枠状の部材であり、
前記球案内路は、前記装飾部材における前記表示窓口の外側に設けられている請求項１または２記載の遊技機。
【発明の詳細な説明】
【技術分野】
【０００１】
本発明は、特定条件成立時に遊技球の打ち出し位置を切り換えて遊技を行なうよう構成された遊技機に関するものである。
【背景技術】
【０００２】
パチンコ機等に代表される遊技機は、固定枠としての外枠に組み付けられる本体枠としての中枠と、裏側に設置部材が配設されて前記中枠に取り付けられる遊技盤と、前記中枠の前側に組み付けられる装飾枠としての前枠等を備えている。前記遊技盤は、その中央に前後に大きく開口した貫通口が形成されると共に前面に遊技領域が形成され、各種入賞装置(始動入賞装置や特別入賞装置等)が配設されると共に、前後に開口した表示窓口が形成された枠状の装飾部材が前記貫通口の開口縁に配設されている。前記装飾部材の表示窓口には、遊技盤の裏側に取付けられた設置部材に配設された図柄表示装置や可動演出装置等が臨んでいる。このような遊技機は、遊技領域に打ち出した遊技球が始動入賞口に入球すると図柄表示装置が作動し、該図柄表示装置における図柄組合わせ結果として特定条件(大当たり図柄の三つ揃い等)が成立することで特別遊技状態が発生し、これに伴い特別入賞装置が開放されて多数の遊技球の入賞が可能となる。
【０００３】
また、近年の遊技機では、前記特別遊技状態の発生時の遊技時間を短縮するため、特別入賞装置に対する遊技球の入球確率を高めるようにした遊技盤も多く実施されている。このような遊技盤は、前記遊技領域に、前記装飾部材に対して遊技球の打ち出し側(左側)に位置する第１の流下経路の他に、該装飾部材に対して遊技球の打ち出し側と反対側(右側)に位置する第２の流下経路が設けられている。従って、前記構成の遊技盤を備えた遊技機は、特定条件が成立していない通常遊技状態では、前記第１の流下経路に向けて遊技球を打ち出すようにし、特定条件が成立して特別遊技状態が発生すると、打球発射装置を「右打ち状態」として前記第２の流下経路に向けて遊技球を打ち出し、該遊技球を第２の流下経路を介して前記特別入賞装置へ至らせるようになっている。このような遊技機は、特許文献１に開示されている。
【先行技術文献】
【特許文献】
【０００４】
【特許文献１】特開２００８−１２５５６４号公報
【発明の概要】
【発明が解決しようとする課題】
【０００５】
ところで、従来の遊技盤における前記第２の流下経路は、遊技球の直径の２倍以下の幅に形成されていて、遊技釘やゲート部材等の流路変更部材等を配設するスペースが確保されておらず、遊技球は該第２の流下経路を一気に流下するようになるから、遊技球による演出効果は殆ど期待できなかった。また、前記特別入賞装置や、遊技領域を流下した遊技球を遊技盤の裏側へ通出させるアウト口等は、前記枠状装飾部材の下方に配設されて前記第２の流下経路よりも遊技領域における左右方向の中央側に位置しているから、前記第２の流下経路を流下する遊技球を、前記特別入賞装置側(遊技盤の左右方向の中央側)へ案内する必要がある。そこで、従来の遊技盤では、前記第２の流下経路における下側部分に、遊技領域の中央側に向けて左下がりの直列状に複数の遊技釘を打設して、遊技球を各遊技釘に沿って特別入賞装置側へ通出案内するよう構成されている。しかしながら、前記各遊技釘の調整が不適切な場合には該遊技釘が平らではなくなり、遊技球が転がり難くなって減速すると共にスムーズな通出案内を図れず、かつ長期の使用により遊技時間が長くなると前記遊技釘に変形やがたつきが生じるようになり、適切な通出案内状態を維持できない問題もある。
【０００６】
そこで本発明は、前述した課題を解決するために案出されたものであって、特定条件成立時に打ち出し位置を切り換えて打ち出された遊技球を、スムーズかつ迅速に球処理部へ案内し得るようにした遊技機を提供することを目的とする。
【課題を解決するための手段】
【０００７】
前記課題を解決するために、本願の請求項１に記載の発明は、
遊技球が流下する遊技領域(11)が画成された遊技盤(D)と、前記遊技盤(D)に配設されて前記遊技領域(11)内に位置する装飾部材(35)とを備え、前記遊技領域(11)には、前記装飾部材(35)に対し前記遊技球の打ち出し側に位置する第１の流下経路(16)および打ち出し側と反対側に位置する第２の流下経路(17)が設けられて、特定条件成立を契機として前記第１の流下経路(16)から第２の流下経路(17)に打ち出し位置を切り換えて遊技を行なうよう構成された遊技機において、
前記第２の流下経路(17)は、球流下領域(41)と、前記球流下領域(41)の下方に設けられた球案内路(42)とを備え、
前記球案内路(42)は、前記球流下領域(41)の外縁側に開口して前記遊技球の通入を許容する通入部(45)と、前記通入部(45)より前記遊技領域(11)の左右中央側に位置して、該通入部(45)から通入した遊技球の通出を許容する通出部(46)と、前記通入部(45)から通出部(46)に亘って延在して当該球案内路(42)の球通過経路を画成する壁部(47)とを備え、
前記球案内路(42)は、前記通入部(45)から下方に向かうにつれて該通入部(45)より前記遊技領域(11)の左右中央側へ徐々に変位する縦案内路(52)を備え、
前記壁部(47)は、前記縦案内路(52)における遊技領域(11)の左右中央側の内面を画成する内側壁部(50)、および球通過方向と交差する方向で該内側壁部(50)と対向する内面を画成する外側壁部(51)を備え、
前記内側壁部(50)には、前記縦案内路(52)内へ突出して、該内側壁部(50)から突出端に近づくにつれて下方へ傾斜する上緩衝面(57A)を備えた第１緩衝部(57)が設けられると共に、前記外側壁部(51)には、該縦案内路(52)内へ突出して、該外側壁部(51)から突出端に近づくにつれて下方へ傾斜する上緩衝面(58A)を備えた第２緩衝部(58)が設けられ、
前記第１緩衝部(57)における上緩衝面(57A)の傾斜角度が、前記第２緩衝部(58)における上緩衝面(58A)の傾斜角度よりも大きく設定され、
前記第２の流下経路を流下して前記球案内路(42)を通過する遊技球が、前記縦案内路(52)を流下する際に前記第１緩衝部(57)の上緩衝面(57A)および第２緩衝部(58)の上緩衝面(58A)に接触して勢いが低減されたもとで、前記通出部(46)より前記遊技領域(11)の左右中央側に配設された入賞装置(60,80)またはアウト口(29)に向け案内されるよう構成したことを要旨とする。
【０００８】
従って、請求項１に係る発明によれば、特定条件成立時に、遊技盤の遊技領域における遊技球の打ち出し側と反対側に位置する第２の流下経路に打ち出し位置を切り換えて遊技を行なう際には、該第２の流下経路へ打ち出された遊技球が、該第２の流下経路における球流下領域において変更部材に接触しながら流下し、球案内路において壁部に案内されながら遊技領域の左右中央側へ案内された後に、遊技領域の左右中央側に配設された球処理部に向けて通出案内される。そして、球流下領域においては、流路変更部材に接触した遊技球が多方向に跳ねるから、該遊技球の動きが多彩になって演出効果を高めることができる。また球案内路においては、壁部で案内された遊技球が通出部までスムーズに移動するから、球詰まりが発生し難くなって該遊技球の通出処理を円滑に行なうことができる。そして球案内路は、通入部から通出部に亘って延在する壁部で形成されているから、遊技ホールに設置後においては、調整等を行なうことなく適切な通出案内状態を維持することができる。
また、球案内路に通入した遊技球の勢いが各緩衝部に接触することで低減され、該遊技球は減勢された状態で球処理部へ通出される。そして前記緩衝部は、球案内路の球通過方向に対して対向する方向から該球案内路内に臨むように配設されているから、球案内路内を通過する遊技球は複数の緩衝部に接触することでその勢いが好適に低減される。これにより、第２の流下経路の通出部の下方に配設された遊技部品に対して遊技球が激しく衝突することが防止され、該遊技部品の破損や損耗および故障の発生を防止し得る。
更に、第１左緩衝部における上緩衝面の傾斜角度が、第２緩衝部における上緩衝面の傾斜角度より大きくなっているので、通入部から下方に向かうにつれて該通入部より遊技領域の左右中央側へ徐々に変位する縦案内路を流下する遊技球が、該第１緩衝部の上緩衝面および該第２緩衝部の上緩衝面に交互に接触することで、該縦案内路に変位方向に合わせて流下し易くし得る。
【０００９】
請求項２に記載の発明では、前記各第１緩衝部(57)は、その突出端から内側壁部(50)に近づくにつれて下方へ傾斜する下緩衝面(57C)を備えると共に、
前記各第２緩衝部(58)は、その突出端から外側壁部に近づくにつれて下方へ傾斜する下緩衝面(58C)を備え、
前記第１緩衝部(57)は、水平に対する上緩衝面(57A)の傾斜角度が水平に対する下緩衝面(57C)の傾斜角度より大きく設定され、前記第２緩衝部(58)は、水平に対する上緩衝面(58A)の傾斜角度が水平に対する下緩衝面(58C)の傾斜角度より小さく設定されたことを要旨とする。
【００１０】
請求項３に記載の発明では、前記装飾部材(35)は、前記遊技盤(D)の後側に配設された遊技装置が後方から臨む表示窓口(35A)が内側に画成された枠状の部材であり、
前記球案内路(42)は、前記装飾部材(35)における前記表示窓口(35A)の外側に設けられていることを要旨とする。
従って、請求項３に係る発明によれば、第２の流下経路における球案内路が装飾部材に設けられているから、該装飾部材を遊技盤に装着することで該球案内路が該遊技盤に対して適切な位置に取り付けられると共に、該球案内路の取付作業を省略することができる。また、部品点数が増加しないので、部品管理が容易になると共に製造コストを抑えることができる。
【発明の効果】
【００１１】
本願発明に係る遊技機によれば、特定条件成立時に打ち出し位置を切り換えて打ち出された遊技球を、スムーズかつ迅速に球処理部へ案内することができる。
【図面の簡単な説明】
【００１２】
【図１】実施例に係るパチンコ機の正面図である。
【図２】実施例に係るパチンコ機に実施される遊技盤の正面図である。
【図３】実施例の遊技盤の斜視図である。
【図４】設置部材を取り付けた遊技盤の背面図である。
【図５】遊技盤を後側から見た斜視図である。
【図６】遊技盤の基材前面に配設される盤面装飾シートを表側から見た部分正面図である。
【図７】(ａ)は、実施例の盤面装飾シートの部分断面図であり、(ｂ)は、別例の盤面装飾シートの部分断面図である。
【図８】盤面装飾シートに設けた映り込み部を示す説明斜視図である。
【図９】(ａ)は、別形態の映り込み部を示す説明斜視図であり、(ｂ)は、更に別形態の映り込み部を示す説明斜視図である。
【図１０】遊技盤の遊技領域における第２の流下経路を示す遊技盤の部分正面図である。
【図１１】枠状装飾部材を、第２の流下経路における球案内路を形成する球案内部材および装飾板材を分離して示す分解斜視図である。
【図１２】(ａ)は、球案内路を設けた枠構成部材を前側から見た斜視図であり、(ｂ)は、枠構成部材の背面図である。
【図１３】(ａ)は、装飾板材を前側から見た斜視図であり、(ｂ)は、装飾板材の背面図である。
【図１４】枠構成部材の正面図である。
【図１５】図１４のＸ−Ｘ線断面図である。
【図１６】(ａ)は、第２始動入賞口に配設された開閉体が閉鎖位置となっている始動入賞装置を前側から見た斜視図であり、(ｂ)は、第２始動入賞口に配設された開閉体が開放位置となっている始動入賞装置を前側から見た斜視図である。
【図１７】(ａ)は、開閉体を開閉作動させる開閉機構を示す斜視図であり、(ｂ)は、開閉体を開閉作動させる開閉機構の側面図である。
【図１８】(ａ)は、開閉体が閉鎖位置の始動入賞装置の正面図であり、(ｂ)は、開閉体が開放位置の始動入賞装置の正面図であり、(ｃ)は、少なくとも第２始動入賞口に遊技球が入賞可能な位置に開閉体がある場合の始動入賞装置の正面図である。
【図１９】(ａ)は、開閉扉が閉鎖位置となっている特別入賞装置を前側から見た斜視図であり、(ｂ)は、特別入賞装置を後側から見た斜視図である。
【図２０】(ａ)は、開閉扉が開放位置となっている特別入賞装置を前側から見た斜視図であり、(ｂ)は、開閉扉を開閉作動させる開閉機構を示す斜視図である。
【図２１】(ａ)は、開閉扉が閉鎖位置の特別入賞装置の縦断面図であり、(ｂ)は、開閉扉が開放位置の特別入賞装置の縦断面図であり、(ｃ)は、少なくとも入賞口に遊技球が入賞可能な位置に開閉扉がある場合で示す特別入賞装置の縦断面図である。
【図２２】間欠制御装置の概略構成図である。
【図２３】(ａ)は、間欠制御装置において、連続信号生成回路、間欠信号生成回路、合成回路および作動信号生成回路により、間欠的な作動信号が生成されることを示す信号説明図であり、(ｂ)は、制御装置からの作動信号が短い場合には間欠的な作動信号が生成されないことを示す信号説明図である。
【図２４】開放位置における開閉扉の連係凹部と連係部材のレバー部との間にクリアランスを設け、電磁ソレノイドを間欠的に励磁した際の該電磁ソレノイドの振動を開閉扉に伝達しないよう構成した特別入賞装置の縦断面図である。
【図２５】設置部材に設けられた配線処理部を示す設置部材を配設した遊技盤の斜視図である。
【図２６】設置部材に設けられた配線処理部を示す遊技盤および設置部材の部分背面図である。
【図２７】図２６のＹ−Ｙ線断面図である。
【図２８】図２６のＺ−Ｚ線断面図である。
【図２９】(ａ)は、遊技盤に設けられた部品挿入部および配設挿通部を示す遊技盤の部分斜視図であり、(ｂ)は、設置部材に設けられた配線ガイド部を示す設置部材の部分斜視図である。
【図３０】配線処理部に配線を配設する状態を示す説明図である。
【図３１】遊技盤の後側に設けられた球通出路を示す断面図である。
【図３２】遊技盤の後側に設けられた球通出路を示す背面図である。
【図３３】通出路形成部を示す斜視図である。
【図３４】(ａ)は、遊技盤の後側に形成された球通出路を構成する開口凹部を示す斜視図であり、(ｂ)は、可動演出装置のベース体に設けられた球誘導壁部および退避凹部等を示す斜視図である。
【図３５】遊技盤と、球受け部としての普通入賞口が設けられた特別入賞装置と、可動演出装置が設けられた設置部材とを分離した状態で示す部分断面図である。
【図３６】(ａ)は、電磁ソレノイドの励磁制御により演出可動体を作動させる可動演出装置の一例を示す説明図であり、(ｂ)は、(ａ)に示す可動演出装置において、電磁ソレノイドに配設した連結体とリンク体との間に設けられたクリアランスを示す説明図である。
【発明を実施するための形態】
【００１３】
次に、本発明に係る遊技機につき、好適な実施例を挙げて、添付図面を参照しながら以下詳細に説明する。なお、遊技機としては、一般的なパチンコ機Ｐを例にして説明する。また、以下の説明において、「前」、「後」、「左」、「右」とは、特に断りのない限り、図１に示すようにパチンコ機Ｐを前側(遊技者側)から見た状態で指称する。
【実施例】
【００１４】
(パチンコ機)
実施例に係るパチンコ機Ｐは、図１に示すように、前後に開口する矩形枠状に形成されて遊技店の図示しない設置枠台に縦置き姿勢で設置される固定枠としての外枠Ａの開口前面側に、遊技盤Ｄを着脱可能に保持する本体枠としての中枠Ｂが、開閉および着脱可能に組み付けられている。そして、前記遊技盤Ｄの裏側に、所定条件の成立(後述する始動入賞装置６０の第１始動入賞口６３および第２始動入賞口６４へのパチンコ球(遊技球)の入賞)を契機として演出用の図柄を変動表示させて図柄変動演出を行なう遊技装置である図柄表示装置Ｈが着脱可能に配設されている(図４に２点鎖線で表示)。また、前記中枠Ｂの前面側には、前記遊技盤Ｄを透視保護するガラス板や透明な合成樹脂材により形成された透視保護板で前後に開口する窓部を覆うよう構成された装飾枠としての前枠Ｃが開閉可能に組み付けられると共に、該前枠Ｃの下方には、パチンコ球を貯留する下球皿Ｆが前記中枠Ｂに組み付けられる。更に、前記前枠Ｃの下部位置に、パチンコ球を貯留する上球皿Ｅが一体的に組み付けられており、前枠Ｃの開閉に合わせて上球皿Ｅも一体的に開閉するよう構成される。
【００１５】
前記中枠Ｂの右下方位置には、該中枠Ｂに配設された打球発射装置(図示せず)を作動する操作ハンドルＧが設けられており、該操作ハンドルＧの操作により打球発射装置が作動されることで、前記上球皿Ｅに貯留されたパチンコ球が所定間隔毎に１球ずつ前記遊技盤Ｄに向けて連続的に発射されるようになっている。なお実施例では、前記図柄表示装置Ｈとして、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の表示装置を採用し得る。また、前記上球皿Ｅは、前記前枠Ｃと別体に形成して中枠Ｂに対して開閉可能に組み付けるようにしてもよい。
【００１６】
(遊技盤)
前記遊技盤Ｄは、図２〜図５に示すように、ベニア等を貼り合わせた木製合板を材質とし、前記中枠Ｂに設けた遊技盤保持部(図示せず)の内縁形状に整合する外縁形状に形成された略矩形の平板状の基材１０を有し、該遊技盤Ｄの前側には遊技領域１１が設けられると共に、該遊技盤Ｄの後側には後述する設置部材１００が配設されている。前記基材１０の前面には、後述する盤面装飾シート２０が貼り付けられている。また、遊技盤Ｄの前側には、左下部から右上部にかけて円弧状に延在する外レール１２と、この外レール１２の内側に中央下部から左上部にかけて並べて配置された内レール１３と、外レール１２の右上部から内レール１３の下部までの間に右方へ凹む湾曲形状に構成された盤面飾り部材１４等が配設されており、両レール１２,１３および盤面飾り部材１４で囲まれた内側が前記遊技領域１１として構成されている。これにより、前記打球発射装置から発射されたパチンコ球は、外レール１２と内レール１３との間を通って遊技領域１１の左上部に打ち出された後、該遊技領域１１内を流下する。但し、前記内レール１３の延在長を大きく設定して、前記外レール１２および該内レール１３で遊技領域１１を形成するように構成してもよい。そして、遊技盤Ｄの前面における前記遊技領域１１内には、図２および図３に示すように、始動入賞装置６０、特別入賞装置８０、普通入賞具２８および普通入賞口９５、流路変更部材としての多数の遊技釘３０、回転案内具３３およびゲート部材３４等が配設されている。
【００１７】
(盤面装飾シート)
前記盤面装飾シート２０は、遊技盤Ｄの遊技領域１１からはみ出る外形輪郭形状に形成されている。盤面装飾シート２０は、図６および図７に示すように、遊技盤Ｄの基材１０の前面と対向する後側から、下地となる金属反射層２１と、前記金属反射層２１の表側に形成された不透明層２２と、前記金属反射層２１の表側に形成された透過層２３とを備えている。また、前記盤面装飾シート２０の前面には、該シート２０の表側に臨む前記不透明層２２および透過層２３を全体的に被覆する透明な表面層２４が形成されている。なお、前記金属反射層２１の裏面には、紙製の台紙等からなる下地材を更に設けるようにしてもよい。
【００１８】
(金属反射層)
前記金属反射層２１は、図６および図７(ａ)に示すように、該金属反射層２１の表側を構成する透明樹脂層２１Ａと、この透明樹脂層２１Ａの裏面に設けられた金属膜２１Ｂとから構成される。前記透明樹脂層２１Ａは、薄い透明な合成樹脂材から形成されたもので、該透明樹脂層２１Ａの表面は略平滑で形成されると共に、該透明樹脂層２１Ａの裏面には所定の凹凸パターンが形成されている。前記金属膜２１Ｂは、例えばアルミニウム等の金属を前記透明樹脂層２１Ａの裏面に蒸着等により形成されてもので、該透明樹脂層２１Ａの裏面には、透明樹脂層２１Ａの凹凸パターンの模様が付与された金属膜２１Ｂからなる複数の反射部２５が形成されている。実施例の盤面装飾シート２０は、各反射部２５が矩形輪郭形状に形成されて、縦方向および横方向に碁盤目状に整列配置されている(図６参照)。前記各反射部２５の凹凸パターンは、該反射部２５の中央を中心とした多数の同心円であり、該反射部２５は凹曲面の反射鏡となっている。これにより各反射面２５は、遊技ホール内の室内照明光や、前方に位置する別の遊技盤設置台に配設された別のパチンコ機Ｐから発せられた光を、個別に反射し得るようになっている。なお、前記各反射部２５の配置は碁盤目状に限らず、縦方向にずらして配置したものや、横方向にずらして配置したものであってもよい。また、各反射部２５は、矩形状に限らず、三角形や五角形等の多角形状、円形状または楕円形状等であってもよい。更に、各反射部２５の凹凸パターンは、多数の同心円から形成されたものに限らず、多角形を同心状に形成したもの、ジグザグに形成したもの、複雑な幾何学模様のもの等、様々なパターンが採用可能である。
【００１９】
(不透明層)
前記不透明層２２は、図１、図２、図６および図７(ａ)に示すように、前記金属反射層２１の透明樹脂層２１Ａにおける表面の所要領域に、遮光性インクで印刷形成されたものである。この不透明層２２は、光透過性を有していないため、該不透明層２２が印刷形成された領域では表側から前記金属反射層２１が透視されない(図６参照)。従って、前記金属反射層２１において、前記不透明層２２が印刷形成された領域の裏側に位置する反射部２５では、表側から照射される外部光が、該不透明層２２で遮断されて該反射部２５に到達しないため、該不透明層２２が形成された領域は外部光が当たっても反射部２５により明輝されない。
【００２０】
(透過層)
前記金属反射層２１の表面側には、図６および図７(ａ)に示すように、前記透明樹脂層２１Ａおよび不透明層２２の表面を覆うデザイン層２６が印刷形成されている。このデザイン層２６は、半透明で透光性を有する着色インクを使用して、前記図柄表示装置Ｈの図柄演出内容に関連したイラストやキャラクター等を印刷したものである。従って、デザイン層２６において、前記不透明層２２を除く部分(透明樹脂層２１Ａ)に印刷される部分は、表側から金属反射層２１を透視可能な前記透過層２３となっている。すなわち、前記金属反射層２１において、前記透過層２３が形成された領域の裏側に位置する反射部２５では、表側から照射される外部光が該透過層２３を透過して到達するから、該反射部２５により外部光が反射されるようになる。これにより前記デザイン層２６は、前記不透明層２２の表側部分では金属反射層２１により外部光が反射されず、前記透過層２３をなす部分では外部光が金属反射層２１による反射されて明輝するようになる。なお、図７(ｂ)に示すように、前記不透明層２２を透光性を有さない着色インクで印刷形成すると共に、透過層２３を透光性を有する着色インクで印刷形成するようにしてもよい。
【００２１】
(表面層)
前記表面層２４は、図７に示すように、透明樹脂製のシート材であり、前記不透明層２２および透過層２３が形成された金属反射層２１の表側に接着剤等により配設されている。前記表面層２４は、前記遊技領域１１を流下するパチンコ球が接触することから耐摩耗性、耐スクラッチ性および平滑性等が要求され、例えばポリカーボネート樹脂や、ポリエチレンテレフタレート(ＰＥＴ)樹脂等が好適に実施される。
【００２２】
(映り込み部)
前述のように構成された盤面装飾シート２０を配設した遊技盤Ｄでは、前面から見ると、前記不透明層２２の形成領域に配設された遊技釘３０と前記透過層２３の形成領域に配設された遊技釘３０とでは、該盤面装飾シート２０に表面に反射して映る該遊技釘３０の像３０Ｂの形状が異なる。すなわち、図８に概略的に示すように、不透明層２２の形成領域に配設された遊技釘３０は、該遊技釘３０が該不透明層２２で反射されるため、角度、長さおよび形状等がそのまま反射した像３０Ｂが盤面装飾シート２０の表面に映し出される。これに対し、透過層２３の形成領域に配設された遊技釘３０は、該遊技釘３０が金属反射層２１の反射部２５で拡散反射するため、曲がった状態、歪んだ状態、或いは複数に重なった状態の像３０Ｂが形成され、角度、長さおよび形状等が盤面装飾シート２０の表面に正確に映し出されない。
【００２３】
ここで前記遊技釘３０は、前記遊技領域１１を流下するパチンコ球の流下態様を調整する上で重要な遊技部品であり、基材１０に対する取付角度の微調整を適時に行なう必要がある。しかし、前記調整作業においては、遊技釘３０自体および遊技盤面に映し出された当該遊技釘３０の像３０Ｂの両方を見ながら行なわれるため、該遊技釘３０の像３０Ｂが正確に遊技盤面に映し出されないと取付角度を正確に調整できない問題が生ずる。そこで、実施例の遊技盤Ｄでは、前記盤面装飾シート２０における前記不透明層２２の形成領域を、次のように設定してある。
【００２４】
すなわち、前記遊技領域１１に配設された流路変更部材としての前記各遊技釘３０は、遊技盤Ｄの基材１０に打設した後に適宜に取付角度を調整可能であるが、遊技領域１１に配設される各遊技装置や入賞装置との配設位置関係により、(ａ)遊技盤Ｄに対する取付角度の変化が遊技に影響を与える可能性が高い遊技釘(以降「第１遊技釘３１」という)、(ｂ)遊技盤Ｄに対する取付角度の変化が遊技に影響を与える可能性が低い遊技釘(以降「第２遊技釘３２」という)、に大別される。具体的に、前記第１遊技釘３１としては、図２に示すように、(１)前記始動入賞装置６０の第１始動入賞口６３および第２始動入賞口６４の直上周辺に配設されて、該第１始動入賞口６３および第２始動入賞口６４へのパチンコ球の入賞率に影響を及ぼす遊技釘、(２)前記特別入賞装置８０の入賞口８５の直上周辺に配設されて、該入賞口８５へのパチンコ球の入賞率に影響を及ぼす遊技釘、(３)普通入賞具２８の入賞口２８Ａの直上周辺や普通入賞口９５の直上周辺に配設されて、該入賞口２８Ａおよび普通入賞口９５へのパチンコ球の入球率に影響を及ぼす遊技釘、(４)ゲート部材３４の直上周辺に配設されて、該ゲート部材３４へのパチンコ球の通過率に影響を及ぼす遊技釘、(５)回転案内具３３の直上周辺に配設されて、該回転案内具３３によるパチンコ球の振分けに影響を及ぼす遊技釘、(６)回転案内具３３の近傍から始動入賞装置６０に向けて右下がりの直列状に配設されて、該始動入賞装置６０へのパチンコ球の流下に影響を及ぼす遊技釘、(７)回転案内具３３の近傍から特別入賞装置８０に向けて右下がりの直列状に配設されて、該特別入賞装置８０へのパチンコ球の流下に影響を及ぼす遊技釘、(８)枠状装飾部材３５の左側部分に形成された球通入口３５Ｂ(図２参照)の近傍に配設されて、該球通入口３５Ｂへのパチンコ球の入球率に影響を及ぼす遊技釘、等である。
【００２５】
そして実施例では、図６に示すように、取付角度の変化が遊技に影響を及ぼす第１遊技釘３１が配設される部位の周囲または近傍に、前記不透明層２２で形成されて該第１遊技釘３１が映り込み可能な映り込み部２７が設けられている。前記映り込み部２７は、前述したように、盤面装飾シート２０における金属反射層２１を透過不能な不透明層２２で形成されているから、第１遊技釘３１の角度、長さおよび形状等がそのまま反射した像３０Ｂが盤面装飾シート２０の表面に映し出され、歪んだ状態や、曲がった状態や、複数に重なった状態の像３０Ｂが該盤面装飾シート２０の表面に映り出されない。従って、第１遊技釘３１は、対応の映り込み部２７に映り込ませることで、調整作業時に遊技盤面に対する取付角度の調整を適切に行なうことが可能となっている。
【００２６】
そして、前記映り込み部２７は、図８に示すように、前記第１遊技釘３１における前記遊技盤Ｄの盤面に位置する取付基部３０Ａを含む周囲に設けられている。これにより第１遊技釘３１は、該第１遊技釘３１の少なくとも取付基部３０Ａを含む像３０Ｂを対応の映り込み部２７に映り込ませることが可能となり、映り込み部２７に映り込んでいる像３０Ｂが当該第１遊技釘３１のものであることを容易に確認できる。すなわち、映り込み部２７に、当該映り込み部２７に対応の第１遊技釘３１に隣接する別の遊技釘３０(第１遊技釘３１および第２遊技釘３２)の映り込みが可能な状態であっても、該映り込み部２７に映り込んだ別の遊技釘３０の像３０Ｂを、当該第１遊技釘３１と勘違いする不都合が発生することを防止し得る。
【００２７】
また、前記映り込み部２７は、図９(ａ)に示すように、複数の第１遊技釘３１(図では３本)が隣接して配設された部位においては、各第１遊技釘３１,３１,３１の像３０Ｂが映り込み可能に設けられている。すなわち、図９(ａ)に示す映り込み部２７は、各第１遊技釘３１が連なる方向へ連なる形状、サイズで単一に形成されている。このような映り込み部２７では、隣接する各第１遊技釘３１,３１,３１を同時に映り込ませることが可能であるから、各第１遊技釘３１,３１,３１の相対的な配設間隔や取付角度等の調整を適切に行なうことが可能である。なお、図９(ａ)に示す映り込み部２７においても、各第１遊技釘３１の取付基部３０Ａを含む周囲に亘るように映り込み部２７を設けるようにすれば、各第１遊技釘３１の取付基部３０Ａを含む各像３０Ａを同時に映り込ませることが可能となり、各第１遊技釘３１の相対的に姿勢や取付角度を確認することができる。
【００２８】
また、第１遊技釘３１が一列に隣接して配設された部位においては、図９(ｂ)に示すように、隣接する両第１遊技釘３１,３０の間に、小サイズの映り込み部２７を設けて、各第１遊技釘３１,３０が別々に映り込み得るように構成してもよい。このような形態では、図示左側の第１遊技釘３１を映り込み部２７と反対側である左側から見ると、該左側の第１遊技釘３１Ａを該映り込み部２７に映り込ませることができ、図示右側の第１遊技釘３１を映り込み部２７と反対側である右側から見ると、該右側の第１遊技釘３１を該映り込み部２７に映り込ませることができ、１つの映り込み部２７で両第１遊技釘３１,３０の取付角度の調整を行なうことが可能となる。そして、図９(ｂ)の形態では、不透明層２２により形成される前記映り込み部２７の面積を小さくすることができるから透過層２３の領域が大きくなり、金属反射層２１の反射部２５による外部光を反射させるという盤面装飾シート２０の機能が有効に活用される。
【００２９】
従って、実施例の遊技盤Ｄでは、前述のように構成された盤面装飾シート２０を備えていることで、金属反射層２１の反射部２５で外部光が反射することにより透過層２３が明輝して際立つようになり、ＬＥＤ照明等の照明手段の配設数を少なくすることができるから、該遊技盤Ｄの製造コストを抑えることができると共に消費電力が低減される。そして、遊技盤Ｄに対する取付角度の変化が遊技に影響を与える可能性が高い前記第１遊技釘３１の配設部位周辺に、前記不透明層２２からなる映り込み部２７を設けたから、該映り込み部２７に第１遊技釘３１の像３０Ｂを映し込ませることで該第１遊技釘３１の姿勢等を的確に確認することができ、第１遊技釘３１の取付角度の調整作業を容易かつ適切に行なうことができる。
【００３０】
(枠状装飾部材)
前記遊技盤Ｄには、図２、図３および図５に示すように、中央に大きな貫通口１５が形成され、前後に開口して遊技演出領域とされる表示窓口３５Ａが形成された枠状装飾部材(装飾部材)３５が、該貫通口１５の開口縁に配設されている。この枠状装飾部材３５は、複数の成形部材を環状に連結して構成されたもので、貫通口１５から遊技盤Ｄの前面より前側に突出するように形成されると共に、図柄表示装置Ｈの表示部Ｈ１で行なわれる遊技内容に合わせた装飾が前面側に施されている。そして、枠状装飾部材３５の表示窓口３５Ａに臨む下縁部分には、該枠状装飾部材３５の左側部分に開口形成した球通入口３５Ｂから入ったパチンコ球が左右に移動可能なステージ３５Ｃが形成されており、このステージ３５Ｃに入ったパチンコ球は、前方へ落下し得るようになっている。また、枠状装飾部材３５の右側部分には、遊技盤Ｄの前面より前方へ突出して前記表示窓口３５Ａ側へ突出した庇部３６と、遊技領域１１の右側部分に形成された第２の流下経路１７を構成する後述の球案内路４２が設けられている。そして、前記枠状装飾部材３５を貫通口１５の開口縁に配設した遊技盤Ｄの遊技領域１１は、図２および図３に示すように、該枠状装飾部材３５に対してパチンコ球の打ち出し側である左側に位置する第１の流下経路１６と、該枠状装飾部材３５に対して打ち出し側と反対側である右側に位置する第２の流下経路１７とが設けられている。これにより実施例のパチンコ機Ｐは、特別遊技状態(特定条件)の非成立時では、前記操作ハンドルＧの操作量を調整して前記第１の流下経路１６へパチンコ球を打ち出して遊技を行ない、特別遊技状態(特定条件)の成立時には、該操作ハンドルＧの操作量を増加させて打球発射装置を所謂「右打ち状態」に変更して、パチンコ球の打ち出し位置を前記第２の流下経路１７に切り換えて遊技を行なうように構成されている。また、前記枠状装飾部材３５の表示窓口３５Ａには、図２に示すように、前記設置部材１００に着脱可能に配設された図柄表示装置Ｈの表示部Ｈ１や、該設置部材１００の前側に配設される装飾部材および可動演出装置１２０等が、パチンコ機Ｐの前側から視認可能に臨んでいる。
【００３１】
また前記遊技盤Ｄには、図５に示すように、前記貫通口１５の真下において、該遊技盤Ｄの左右中央に第１装着口１８が開設され、該貫通口１５の左下(第１装着口１８の左側)に第２装着口１９が開設されている。前記第１装着口１８の上側開口部には、球処理部としての前記始動入賞装置６０が前側から配設されると共に、該第１装着口１８の下側開口部には、球処理部としての特別入賞装置８０が前側から配設されている。前記第２装着口１９には、複数(実施例では４つ)の入賞口２８Ａが配列された普通入賞具２８が配設されている。すなわち、前記始動入賞装置６０および前記特別入賞装置８０は、遊技領域１１における左右方向の中央下部に上下の関係で配設されて、前記枠状装飾部材３５の右側に形成された前記第２の流下経路１７の左下方に位置している。また、前記遊技領域１１の左右中央における最下部には、遊技領域１１を流下したパチンコ球を遊技盤Ｄの後側へ排出するアウト口２９が設けられている。
【００３２】
(緩衝部材)
前記遊技盤Ｄの遊技領域１１において、前記パチンコ球の打ち出し側と反対側である右上部、すなわち前記第２の流下経路１７の上流部には、図２に示すように、該第２の流下経路１７に向けて打ち込まれたパチンコ球が衝突可能な緩衝部材３９が、ネジ等により固定されている。この緩衝部材３９は、例えばゴムやウレタン等の弾力性を有する素材から形成されており、前記右打ちへの切り換えにより強く打ち出されたパチンコ球が衝突することで、該パチンコ球の勢いを好適に低減させるようになっていると共に、該パチンコ球の衝突による異音の発生等も抑えるようになっている。
【００３３】
(第２の流下経路)
前記第２の流下経路１７は、前記緩衝部材３９の下方において遊技領域１１の最も右側に設けられた球流下領域４１と、前記球流下領域４１の下方に設けられた球案内路４２とを備えている。また第２の流下経路１７は、球流下領域４１の上流側に、パチンコ球が一列で通過可能な導入路４０を備えている。これにより、特別遊技状態(特定条件)の成立により打球発射装置を右打ち状態とした際には、前記導入路４０に移動して前記緩衝部材３９に衝突したパチンコ球は、第２の流下経路１７に向けて案内され、先ず導入路４０を通って前記球流下領域４１に案内され、該球流下領域４１内を流下して前記球案内路４２内に案内され、該球案内路４２内を移動した後に、遊技領域１１における前記枠状装飾部材３５の下方、すなわち前記始動入賞装置６０、特別入賞装置８０およびアウト口２９に向けて案内されるように構成されている。
【００３４】
(球流下領域)
前記球流下領域４１は、図２、図３および図１０に示すように、前記枠状装飾部材３５の右側外縁に左方向へ凸となるように湾曲形成された前記庇部３６と、前記盤面飾り部材１４のレール部１４Ａとの間に画成されて部分である。この球流下領域４１は、左右方向での最大の幅がパチンコ球の直径の２倍以上(実施例では、パチンコ球の３〜４倍程度)に形成されており、該球流下領域４１に流入したパチンコ球は、左右方向への移動が可能となっている。そして、球流下領域４１に臨む遊技盤面には、パチンコ球の流下方向を変向可能な流路変更部材としての前記遊技釘３０(第１案内釘３１を含む)や、同じく流路変更部材としての前記ゲート部材(電気部品)３４が配設されている。また、遊技盤Ｄの球流下領域４１に対応する部分には、基材１０を前後に貫通した部品挿入部４３が形成されており、前記ゲート部材３４は、この部品挿入部４３を介して遊技盤Ｄの前側から差し込んだ状態で固定され(図２７参照)、このゲート部材３４から遊技盤Ｄの後側へ引き出された配線ＷＨは、後述するように、設置部材１００の後側に配設された第１中継基板(基板)１０８(図４、図２５参照)に接続されるようになっている。従って、球流下領域４１へ流入したパチンコ球は、前記遊技釘３０に衝突して左右に跳ねながら該球流下領域４１を流下すると共に、その一部はゲート部材３４を通過して流下するようになり、この球流下領域４１においては、これら遊技釘３０およびゲート部材３４に接触したパチンコ球が不規則に跳ねるようになるので、該パチンコ球の動きが多彩になって演出効果を高めるようになっている。なお、ゲート部材３４をパチンコ球が通過した場合には、該パチンコ球の検知信号が、前記第１中継基板１０８を介して主制御装置２００(図２２)に出力される。
【００３５】
(球案内路)
前記球案内路４２は、図１０および図１１に示すように、前記枠状装飾部材３５における右下部分を構成する枠構成部材３７と、この枠構成部材３７の前側に取付けられる装飾板材３８とにより、該枠状装飾部材３５の前記表示窓口３５Ａの外側に設けられている。これら枠構成部材３７および装飾板材３８は、夫々が合成樹脂製の一体成形部材であり、ネジ等により装飾板材３８が枠構成部材３７に組付けられる。すなわち球案内路４２は、複数の構成部材を組付けて構成される枠状装飾部材３５を製作することで、該枠状装飾部材３５に設けられると共に該枠状装飾部材３５の一部として取り扱われる。そして球案内路４２は、枠状装飾部材３５を貫通口１５の開口縁に取付けることで、遊技領域１１の規定位置に位置決めされて固定されると共に、前記球流下領域４１の下方に位置するように構成されている。なお、枠構成部材３７に形成された球案内路４２は、図２および図１０に示すように、前記可動演出装置１２０と前後に重なる関係で該可動演出装置１２０の前側に位置して、可動演出装置１２０の配設領域と干渉することなく前記始動入賞装置６０および特別入賞装置８０側へ延在している。
【００３６】
前記球案内路４２は、図１０および図１２に示すように、前記球流下領域４１の下縁における外縁側に開口する球通入口(通入部)４５と、前記球通入口４５より前記遊技領域１１の左右中央側に位置する球通出口(通出部)４６と、前記球通入口４５から球通出口４６に亘って延在して当該球案内路４２を画成する壁部４７とを備えている。前記壁部４７は、球案内路４２の後内面を画成する後壁部(第１壁部)４８と、該球案内路４２の前内面を画成する前壁部(第１壁部)４９と、該球案内路４２における表示窓口３５Ａ側の内面を画成する内側壁部(第２壁部)５０と、該球案内路４２における前記前面飾り部材１４側の内面を画成する外側壁部(第２壁部)５１とから構成されている。前記後壁部４８と前壁部４９とは、遊技盤Ｄの前後方向(第１の方向)で対向し、前記内側壁部５０と外側壁部５１とは、遊技盤Ｄの前面と平行となる方向(第２の方向)で対向している。そして、前記後壁部４８、内側壁部５０および外側壁部５１は、前記枠構成部材３７に一体に形成されて、前記球通入口４５から球通出口４６に亘って連続的に延在し、前記前壁部４９は、前記装飾板材３８に一体に形成されて、前記球通入口４５から球通出口４６に亘って連続的に延在している。従って球案内路４２は、球通過方向と直交する方向の開口形状が略矩形をなす角樋状に構成されている。
【００３７】
そして前記球案内路４２は、図１０および図１４に示すように、前記４つの各壁部４８,４９,５０,５１により略Ｌ形に屈曲した角樋状に構成されている。すなわち球案内路４２は、前記盤面飾り部材１４のレール部１４Ａに沿って下方へ延在し、球通入口４５から下方に向かうにつれて左方へ徐々に湾曲する縦案内路５２と、この縦案内路５２の下端から左方へ延在し、球通出口４６に向かうにつれて下方傾斜する横案内路５３とから構成されている。横案内路５３の左端に設けられた前記球通出口４６は、前記始動入賞装置６０および特別入賞装置８０の右上方に位置している。これにより球案内路４２は、前記球流下領域４１から球通入口４５を介して通入したパチンコ球を、縦案内路５２により下方へ案内した後に横案内路５３により左方へ案内して、前記始動入賞装置６０の第２始動入賞口６４、特別入賞装置８０およびアウト口２９側へ案内する。そして、球案内路４２の縦案内路５２および横案内路５３は、何れもパチンコ球の直径の２倍より狭い幅に形成され、パチンコ球が一列で通過可能に構成されている。
【００３８】
(緩衝部)
前記球案内路４２には、図１４および図１５に示すように、該球案内路４２を画成する前記壁部４７の内面に、球案内路４２の球通過方向に対して交差する複数の方向(実施例では、前後左右の４方向)から該球案内路４２内に臨むように、後緩衝部５５、前緩衝部５６、左緩衝部(第１緩衝部)５７および右緩衝部(第２緩衝部)５８が配設されている。各緩衝部５５,５６,５７,５８は、前記壁部４７の内面から球案内路４２内へ突出するように形成されている。従って、球案内路４２を通過するパチンコ球は、前記後緩衝部５５、前緩衝部５６、左緩衝部５７および右緩衝部５８に接触することで該パチンコ球の勢いが低減されるようになっている。なお、前記各緩衝部５５,５６,５７,５８は、前記球案内路４２における上下方向へ延在する前記縦案内路５２に設けられており、前記横案内路５３には設けられていない。
【００３９】
具体的に、前記球案内路４２の縦案内路５２には、図１２〜図１５に示すように、前記球案内路４２の球通過方向と交差する前後方向において、後側から臨む後壁部４８の内面(第１内面)４８Ａには、前方(球案内路４２内)へ突出すると共に左右に延在する複数(実施例では１１個)の後緩衝部５５が、球案内路４２における縦案内路５２の球通過方向へ所要間隔毎に形成されている(図１２、図１４、図１５)。また、前記球案内路４２の球通過方向と交差する前後方向において、前側から臨む前壁部４９の内面(第１内面)４９Ａには、後方(球案内路４２内)へ突出すると共に左右に延在する複数(実施例では１０個)の前緩衝部５６が、球案内路４２における縦案内路５２の球通過方向へ所要間隔毎に形成されている(図１３(ｂ)、図１５)。そして、後壁部４８の内面４８Ａから突出した各後緩衝部５５と前壁部４９の内面４９Ａから突出した各前緩衝部５６とは、縦案内路５２の球通過方向へずれた位置に形成されており、該縦案内路５２は前後においてジグザグ状に構成されている(図１５)。
【００４０】
また、前記球案内路４２の縦案内路５２には、図１２〜図１５に示すように、前記球案内路４２の球通過方向と交差する遊技盤の前面と平行な方向において、前記表示窓口３５Ａ側から臨む内側壁部５０の内面(第２内面)５０Ａには、右方(球案内路４２内)へ突出すると共に前後に延在する複数(実施例では３個)の左緩衝部５７が、球案内路４２における縦案内路５２の球通過方向へ所要間隔毎に形成されている。また、前記球案内路４２の球通過方向と交差する遊技盤の前面と平行な方向において、前記盤面飾り部材１４側から臨む外側壁部５１の内面(第２内面)５１Ａには、左方(球案内路４２内)へ突出すると共に前後に延在する複数(実施例では４個)の右緩衝部５８が、球案内路４２における縦案内路５２の球通過方向へ所要間隔毎に形成されている。そして、内側壁部５０の内面５０Ａから突出した各左緩衝部５７と外側壁部５１の内面５１Ａから突出した各右緩衝部５８とは、縦案内路５２の球通過方向へずれた位置に形成されており、該縦案内路５２は左右においてもジグザグ状に構成されている。
【００４１】
更に、図１４および図１５に示すように、前記後壁部４８の内面４８Ａから突出した各後緩衝部５５は、球案内路４２の球通過方向へ等間隔に形成されていると共に、前壁部４９の内面４９Ａから突出した各前緩衝部５６は、前記各後緩衝部５５の形成間隔と同じ間隔で、球案内路４２の球通過方向へ等間隔に形成されている。また、前記内側壁部５０の内面５０Ａから突出した各左緩衝部５７は、球案内路４２の球通過方向へ等間隔に形成されていると共に、前記外側壁部５１の内面５１Ａから突出した各右緩衝部５８は、前記各左緩衝部５７の形成間隔と同じ間隔で、球案内路４２の球通過方向へ等間隔に形成されている。そして、各左緩衝部５７の球通過方向への形成間隔および各右緩衝部５８の球通過方向への形成間隔は、各後緩衝部５５の球通過方向への形成間隔および各前緩衝部５６の球通過方向への形成間隔より大きくなっている。更に、各後緩衝部５５は、後壁部４８の内面４８Ａに、パチンコ球(図１４および図１５に２点鎖線で表示)の直径より小さい距離で、球通過方向へ等間隔に離間形成されていると共に、各前緩衝部５６は、前壁部４９の内面４９Ａに、パチンコ球の直径より小さい距離で、球通過方向へ等間隔に離間形成されている。また、各左緩衝部５７は、内側壁部５０の内面５０Ａに、パチンコ球(図１４および図１５に２点鎖線で表示)の直径より大きい距離で、球通過方向へ等間隔に離間形成されていると共に、各右緩衝部５８は、外側壁部５１の内面５１Ａに、パチンコ球の直径より大きい距離で、球通過方向へ等間隔に離間形成されている。従って、縦案内路５２を流下するパチンコ球は、各後緩衝部５５および各前緩衝部５６に接触することで前後方向への跳ねが抑えられつつ勢いが低減され、各左緩衝部５７および各右緩衝部５８に接触することで左右方向への跳ねながら勢いが低減されるようになっている。
【００４２】
また、図１２(ａ)、図１４および図１５に示すように、前記後壁部４８の内面４８Ａに突設された各後緩衝部５５は、該後壁部４８の内面４８Ａから球案内路４２内への突出量が同じに形成されていると共に、前記前壁部４９の内面４９Ａに突設された各前緩衝部５６は、該前後壁部４９の内面４９Ａから球案内路４２内への突出量が同じに形成されている。前記内側壁部５０の内面５０Ａに突設された各左緩衝部５７は、該内側壁部５０の内面５０Ａから球案内路４２内への突出量が同じに形成されていると共に、前記外側壁部５１の内面５１Ａに突設された各右緩衝部５８は、該外側壁部５１の内面５１Ａから球案内路４２内への突出量が同じに形成されている。そして、各左緩衝部５７の球案内路４２内への突出量および各右緩衝部５８の球案内路４２内への突出量は、各後緩衝部５５の球案内路４２内への突出量および各前緩衝部５６の球案内路４２内への突出量に比べて、数倍(実施例では３〜４倍)に設定されている。
【００４３】
更に、後壁部４８の内面４８Ａに突設された各後緩衝部５５および前壁部４９の内面４９Ａに突設された各前緩衝部５６は、図１５に示すように、前記内側壁部５０の内面５０Ａと平行な方向で破断した断面形状が、該内面４８Ａまたは４９Ａから突出端に向けて球通過方向における幅が徐々に狭くなる三角状に形成されている。すなわち後緩衝部５５は、後壁部４８の内面４８Ａから突出端に近づくにつれて球通過方向の下流側へ傾斜する第１緩衝面５５Ａと、突出端から前記内面４８Ａに近づくにつれて球通過方向の下流側へ傾斜する第２緩衝面５５Ｂとで構成され、突出端が尖った状態で突出している。また前緩衝部５６は、前壁部４９の内面４９Ａから突出端に近づくにつれて球通過方向の下流側へ傾斜する第１緩衝面５６Ａと、突出端から前記内面４９Ａに近づくにつれて球通過方向の下流側へ傾斜する第２緩衝面５６Ｂとで構成され、突出端が尖った状態で突出している。
【００４４】
また、内側壁部５０の内面５０Ａに突設された各左緩衝部５７は、図１４に示すように、前記後壁部４８の内面４８Ａと平行な方向で破断した断面形状が、内側壁部５０の内面５０Ａから突出端に向けて球通過方向における幅が徐々に狭くなる台形状に形成されている。すなわち左緩衝部５７は、内側壁部５０の内面５０Ａから突出端に近づくにつれて球通過方向の下流側へ傾斜する第１緩衝面(上緩衝面)５７Ａと、突出端において対向する外側壁部５１の内面５１Ａと平行な第２緩衝面５７Ｂと、この突出端から当該左緩衝部５７が形成された前記内面５０Ａに近づくにつれて球通過方向の下流側へ傾斜する第３緩衝面(下緩衝面)５７Ｃとで構成されている。一方、外側壁部５１の内面５１Ａに突設された各右緩衝部５８は、図１４に示すように、前記後壁部４８の内面４８Ａと平行な方向で破断した断面形状が、外側壁部５１の内面５１Ａから突出端に向けて球通過方向における幅が徐々に狭くなる台形状に形成されている。すなわち右緩衝部５８は、外側壁部５１の内面５１Ａから突出端に近づくにつれて球通過方向の下流側へ傾斜する第１緩衝面(上緩衝面)５８Ａと、突出端において対向する内側壁部５０の内面５０Ａと平行な第２緩衝面５８Ｂと、この突出端から当該右緩衝部５８が形成された前記内面５１Ａに近づくにつれて球通過方向の下流側へ傾斜する第３緩衝面(下緩衝面)５８Ｃとで構成されている。
【００４５】
更に、図１４に示すように、各左緩衝部５７は、水平に対する第１緩衝面５７Ａの傾斜角度が、水平に対する第３緩衝面５７Ｃの傾斜角度より大きくなっている。一方、各右緩衝部５８は、水平に対する第１緩衝面５８Ａの傾斜角度が、水平に対する第３緩衝面５８Ｃの傾斜角度より小さくなっている。そして、各左緩衝部５７における第１緩衝面５７Ａの水平に対する傾斜角度が、各右緩衝部５８における第１緩衝面５８Ａの水平に対する傾斜角度より大きくなっている。これにより、球案内路４２の縦案内路５２を流下するパチンコ球は、各左緩衝部５７の第１緩衝面５７Ａに接触した際に外側壁部５１側(右方)へ移動する成分より、各右緩衝部５８の第１緩衝面５８Ａに接触した際に内側壁部５０側(左方)へ移動する成分の方が大きくなる。すなわち球案内路４２は、縦案内路５２が下方に向かうにつれて左方向へ湾曲しているため、パチンコ球が左緩衝部５７の第１緩衝面５７Ａおよび第２緩衝部５８の第１緩衝面５８Ａに交互に接触することで、該パチンコ球を該縦案内路５２に湾曲方向に合わせて流下し易くなるように形成されている。
【００４６】
前記球案内路４２を形成する前記枠構成部材３７は、透明樹脂からインジェクション成形された一体成形部材であり、前記装飾板材３８も、同じく透明樹脂からインジェクション成形された一体成形部材である。そして、前記枠構成部材３７は、図１２(ｂ)および図１５に示すように、その裏面に光拡散面３７Ａが形成されており、該枠構成部材３７の後側に配設された照明手段から照射される照明光を、該光拡散面３７Ａで拡散させながら透過し得るようになっている。前記光拡散面３７Ａは、後壁部４８の後面にも形成されており、これにより枠構成部材３７の後側に配設された照明手段の照射により、球案内路４２内も明輝するようになる。また前記装飾板材３８は、その前面に六角枠状(ハニカム状)に塗装が施されており、前記球案内路４２を形成する前壁部４９を介して球案内路４２内を透過可能になっている。従って、前記装飾板材３８が前記枠構成部材３７に取付けられていても、球案内路４２内を移動するパチンコ球を視認することが可能となっている。
【００４７】
前述のように構成された球案内路４２は、前記球通入口４５を介して該球案内路４２に入ったパチンコ球が各後壁部４８,４９,５０,５１に形成された第１〜第４の各緩衝部５５〜５８に適宜接触することで、縦案内路５２内を流下する該パチンコ球の勢いを低減させ、減勢されたパチンコ球が横案内路５３を通過して球通出口４６から通出するようにする。これにより、第２の流下経路１７を流下したパチンコ球が、球案内路４２の球通出口４６より遊技領域１１の左右中央側に配設された始動入賞装置６０や特別入賞装置８０に対して激しく衝突することを防止し、これら入賞装置６０,８０の破損や損耗および故障の発生を防止し得る。また、前記球案内路４２により、第２の流下経路１７を流下したパチンコ球が始動入賞装置６０の第２始動入賞口６４または特別入賞装置８０にスムーズに入賞するようにし得ると共に、両入賞装置６０,８０に入賞しなかったパチンコ球が前記アウト口２９へ円滑に導かれるようにし得る。
【００４８】
そして、前記球案内路４２には、球通過方向と交差する前後方向で対向する複数の後緩衝部５５および前緩衝部５６と、遊技盤Ｄの前面と平行な方向で対向する複数の左緩衝部５７および右緩衝部５８とを備えているから、該球案内路４２内は互いに交差する２方向でジグザグ状に構成されており、パチンコ球の勢いを好適に低減することができる。また、前後方向で対向するように形成された各後緩衝部５５と各前緩衝部５６とは、球通過方向へずれた位置に設けられているから、球通出経路を挟んで対向する後緩衝部５５と前緩衝部５６との突出端間の間隔が狭くならず、これら後緩衝部５５および前緩衝部５６がパチンコ球の通過に支障を来たさないので球詰まりが発生しない。同様に、遊技盤Ｄの前面と平行な方向で対向するように形成された各左緩衝部５７と各右緩衝部５８とは、球通過方向へずれた位置に設けられているから、球通出経路を挟んで対向する左緩衝部５７と右緩衝部５８との突出端間の間隔が狭くならず、これら左緩衝部５７および右緩衝部５８がパチンコ球の通過に支障を来たさないので球詰まりが発生しない。
【００４９】
また、遊技盤の前面と平行となる方向で対向する各左緩衝部５７および各右緩衝部５８の球案内路４２内への突出量が、該遊技盤Ｄの前後方向で対向する各後緩衝部５５および各前緩衝部５６の球案内路４２内への突出量より大きくなっているから、球案内路４２の縦案内路５２を通過するパチンコ球は遊技盤Ｄの前面と平行な方向(左右方向)へ大きく揺れ動いて内側壁部５０の内面５０Ａおよび外側壁部５１の内面５１Ａに沿って流下するようになり、球案内路４２を通過するパチンコ球について揺れの演出を行なうことができる。しかも、縦案内路５２を流下するパチンコ球は、左緩衝部５７の第１緩衝面５７Ａおよび右緩衝部５８の第１緩衝面５８Ａに交互に接触することで縦案内路５２に湾曲方向に合わせて流下し易くなるから、該パチンコ球を勢いを低減させつつスムーズに流下させることができる。更に、前記各後緩衝部５５および各前緩衝部５６は、球案内路４２内への突出量が小さく、かつパチンコ球の直径より小さい間隔で離間形成されているから、後緩衝部５５に接触したパチンコ球は前壁部４９側へ大きく跳ねることが規制されると共に、前緩衝部５６に接触したパチンコ球は後壁部４８側へ大きく跳ねることが規制され、パチンコ球の前後方向の揺れを抑えることができる。また、前記各後緩衝部５５および各前緩衝部５６は、球案内路４２内への突出量が小さく、かつパチンコ球の直径以下の間隔で配設されているから、該パチンコ球の前後への移動が目立ち難い利点もある。
【００５０】
(始動入賞装置)
前記始動入賞装置６０は、図２、図３、図５、図１６および図１７に示すように、遊技領域１１を流下するパチンコ球が入賞可能な第１始動入賞口６３と、該第１始動入賞口６３の下方に設けられ、遊技領域１１を流下するパチンコ球が入賞可能な第２始動入賞口６４とを設けた取付ベース部材６１と、この取付ベース部材６１の後側に設けられ、前記第１始動入賞口６３に連通する第１入賞空間６５および前記第２始動入賞口６４に連通する第２入賞空間６６を画成する装置本体６２とを備える。また、前記取付ベース部材６１における第２始動入賞口６４を挟んだ両側に、該第２始動入賞口６４を開閉する羽根形態の一対の開閉体(可動体)６７,６７が配設され、前記装置本体６２の外部右側に、前記各開閉体６７,６７を開閉動作させる開閉機構６８が配設されると共に、前記装置本体６２内には、第１入賞空間６５および第２入賞空間６６に流入したパチンコ球を検出する球検出スイッチ６９が配設されている。
【００５１】
(開閉体)
前記各開閉体６７,６７は、図１６〜図１８に示すように、前記第２始動入賞口６４の開口形状に略合致する羽根状に形成されて、取付ベース部材６１の前面に前後に延在する回転軸７０を中心として回転自在に取付けられる。そして各開閉体６７,６７は、略垂直状態まで起立して前記第２始動入賞口６４を閉鎖する初期位置としての閉鎖位置(図１６(ａ)、図１８(ａ)参照)と、水平近くまで側方へ回転して該第２始動入賞口６４を開放する作動位置としての開放位置(図１６(ｂ)、図１８(ｂ)参照)との間で姿勢変位し、開放位置において第２始動入賞口６４に対するパチンコ球の入賞確率を向上する。また、各開閉体６７,６７の後側下部には、前記取付ベース部材６１を貫通して後方へ延出する連係ピン(被連係部)７１が設けられており、この連係ピン７１には、前記開閉機構６８を構成する第２連係部材(連係部)７４が連係接続するよう構成されている。
【００５２】
(開閉機構)
前記開閉機構６８は、図１７(ａ)および図１７(ｂ)に示すように、駆動手段としての電磁ソレノイド７２と、この電磁ソレノイド７２のプランジャ７２Ａの先端に連結される前記第１連係部材７３と、この第１連係部材７３および前記連係ピン７１に連係される第２連係部材７４とを備えている。前記電磁ソレノイド７２は、ボビン、銅線およびリード線等からなるコイルに電流を付加すると、本体内に配設した固定鉄心が励磁されることで、可動鉄心であるプランジャ７２Ａを本体側に引き込む所謂プル形のソレノイドが採用され、前記装置本体６２の外側に、前記プランジャ７２Ａを水平前方へ延出させた状態で設置されている。そして前記電磁ソレノイド７２は、前記プランジャ７２Ａに圧縮コイルバネ７５が配設されており、非励磁状態では前記圧縮コイルバネ７５の弾性力によりプランジャ７２Ａが前方へ延出した状態保持され、励磁状態では該プランジャ７２Ａが圧縮コイルバネ７５の弾性力に抗して後方へスライドするように構成されている。
【００５３】
前記第２連係部材７４は、図１７(ａ)および図１７(ｂ)に示すように、装置本体６２に対して左右水平に延在する支軸７６を中心として回転可能に連結され、前記プランジャ７２Ａの先端に固定された前記第１連係部材７３に連結される本体部７４Ａと、前記本体部７４Ａの前側において左右に離間した位置から前方へ延出して前記各開閉体６７の連係ピン７１の後端が突入係合する凹部７４Ｃが先端に形成されたレバー部７４Ｂ,７４Ｂとを備えている。そして、前記第２連係部材７４は、前記電磁ソレノイド７２の非励磁状態においては前記各レバー部７４Ｂ,７４Ｂが水平前方へ延出する姿勢に保持され、該レバー部７４Ｂの凹部７４Ｃと前記連係ピン７１との係合により前記開閉体６７を前記閉鎖位置に保持する。また前記第２連係部材７４は、前記電磁ソレノイド７２が励磁されると、前記レバー部７４Ｂが前上がりの傾斜状に延出する姿勢に変位して、該レバー部７４Ｂの凹部７４Ｃが上方へ移動することで前記連係ピン７１の上方への移動が許容され、前記各開閉体６７,６７は自重により相互に離間するよう回転して前記開放位置に向けて姿勢変位する。
【００５４】
前述のように構成された実施例の始動入賞装置６０は、図２２に示すように、制御手段としての前記主制御装置２００から出力される作動信号に基づいて作動する第１の間欠制御装置２０３からの作動信号により、電磁ソレノイド７２が作動するようになっている。なお、第１の間欠制御装置２０３による電磁ソレノイド７２の作動制御については後で説明する。
【００５５】
(特別入賞装置)
前記特別入賞装置８０は、図２、図３、図５、図１９および図２０に示すように、前方に開口する入賞口８５を介してパチンコ球が入賞可能な入賞空間８６を内部に画成する装置本体８１と、装置本体８１に配設されて前記入賞口８５を開閉する開閉扉(可動体)８２と、該開閉扉８２を開閉動作させる開閉機構８３と、入賞空間８６内に流入したパチンコ球を検出する前記球検出スイッチ８４と備えている。
【００５６】
前記装置本体８１は、図１９および図２０(ａ)に示すように、その内部に、前記入賞口８５に臨む入賞空間８６が前側部分から右側部分に亘って略Ｌ字形に形成され、該入賞空間８６における左側の屈曲部分に前記球検出スイッチ８４が設置されている。装置本体８１の内部における右側部分には、前記開閉機構８３が配設されている。また、装置本体８１の前側には、横長に形成されて前記入賞口８５が形成された前面パネル８７が設けられており、前記第１装着口１８内に前側から挿入した装置本体８１は、前記前面パネル８７を遊技盤Ｄの前面にネジ止めすることで該遊技盤Ｄに固定される。なお、前記前面パネル８７は、装置本体８１の右方向へ延出しており、後述する球受け部としての普通入賞口９５が設けられている。
【００５７】
(球検出スイッチ)
前記球検出スイッチ８４は、図２０(ａ)に示すように、入賞空間８６における入賞口８５の左開口端８５Ａに近接した位置に、パチンコ球が通過する球検出口８４Ａが左右方向に開口する縦向き姿勢で配設されている。ここで、前記第２の流下経路１７における球案内路４２の横案内路５３から球通出口４６を介して遊技領域１１の左右中央側に向け通出されたパチンコ球は、図１０から明らかなように、当該特別入賞装置８０の右上方から入賞口８５に向けて流下するようになり、入賞口８５の右開口端８５Ｂ側から入賞空間８６へ入って該入賞空間８６を左方向へ移動するようになる。従って、前記球検出スイッチ８４を、入賞空間８６における入賞口８５の左開口端８５Ａに近接した位置に縦向き姿勢で配設することで、該入賞空間８６内を左方向に移動したパチンコ球が、球検出スイッチ８４の球検出口８４Ａをスムーズに通過するようになると共に、装置本体８１の底部に形成した球通出口(図示せず)を介して外部へ迅速に排出することが可能になっている。
【００５８】
(開閉扉)
前記開閉扉８２は、図１９および図２０に示すように、前記入賞口８５の開口形状に略合致する横長矩形板状に形成されて、その左右側端の下部には装置本体８１に突設された支軸が嵌合する支持孔８８,８８が設けられている。そして開閉扉８２は、前記両支軸８８,８８を前記装置本体８１に支持させることで揺動自在な状態で該装置本体８１に取り付けられ、略垂直状態まで起立して前記入賞口８５を閉鎖する初期位置としての閉鎖位置(図１９(ａ)、図２１(ａ)参照)と、水平近くまで前方へ回転して該入賞口８５を開放する作動位置としての開放位置(図２０(ａ)、図２１(ｂ)参照)との間で姿勢変位し、開放位置において入賞口８５に対するパチンコ球の入賞が可能となって入賞確率を向上する。また、前記開閉扉８２の右下端部には、図２０(ｂ)に示すように、該開閉扉８２が前記閉鎖位置にある状態で水平後方へ開口する連係凹部(被連係部)８９が形成されており、この連係凹部８９には、前記開閉機構８３を構成する連係部材(連係部)９１が連係接続するよう構成されている。
【００５９】
(開閉機構)
前記開閉機構８３は、図２０(ｂ)および図２１に示すように、駆動手段としての電磁ソレノイド９０と、この電磁ソレノイド９０のプランジャ９０Ａの先端に連結される前記連係部材９１とを備えている。前記電磁ソレノイド９０は、ボビン、銅線およびリード線等からなるコイルに電流を付加すると、本体内に配設した固定鉄心が励磁されることで、可動鉄心であるプランジャ９０Ａを本体側に引き込む所謂プル形のソレノイドが採用され、前記装置本体８１内に、前記プランジャ９０Ａを水平前方へ延出させた状態で設置されている。そして前記電磁ソレノイド９０は、前記プランジャ９０Ａに圧縮コイルバネ９２が配設されており、非励磁状態では前記圧縮コイルバネ９２の弾性力によりプランジャ９０Ａが前方へ延出した状態保持され、励磁状態では該プランジャ９０Ａが圧縮コイルバネ９２の弾性力に抗して後方へスライドするように構成されている。
【００６０】
前記連係部材９１は、図２０(ｂ)および図２１(ａ)に示すように、前記プランジャ９０Ａの先端に左右水平に延在する支軸９１Ｃを中心に回転可能に連結される本体部９１Ａと、前記本体部９１Ａの前面から前方へ延出して前記開閉扉８２の連係凹部８９に後方から突入係合するレバー部９１Ｂとを備えている。そして前記連係部材９１は、前記電磁ソレノイド９０の非励磁状態においては前記レバー部９１Ｂが水平前方へ延出する姿勢に保持され、該レバー部９１Ｂと前記連係凹部８９の下壁との係合により前記開閉扉８２を前記閉鎖位置に保持する。また前記連係部材９１は、前記電磁ソレノイド９０が励磁されると、前記レバー部９１Ｂが前上がりの傾斜状に延出する姿勢に変位するので前記連係凹部８９の下壁が上方へ移動することが許容され、前記開閉扉８２は自重により前記開放位置に向けて姿勢変位するようになる。
【００６１】
(始動入賞装置および特別入賞装置の作動制御)
次に、前記始動入賞装置６０および特別入賞装置８０の作動制御について説明する。実施例のパチンコ機Ｐでは、図２２に示すように、当該パチンコ機Ｐを総合的に制御する制御手段としての主制御装置２００に対して、始動入賞装置６０の電磁ソレノイド７２および特別入賞装置８０の電磁ソレノイド９０を駆動する間欠制御装置(間欠制御手段)２０３が接続されており、当該主制御装置２００から入力される開放信号(連続的な作動信号)に基づいて、間欠制御装置２０３が各電磁ソレノイド７２,９０を駆動制御するよう構成されている。
【００６２】
(間欠制御装置)
間欠制御装置２０３は、可動体としての開閉体６７または開閉扉８２を作動位置である前記開放位置に保持可能な間隔で前記電磁ソレノイド７２,９０を励磁するよう間欠的な作動信号を出力し得るようになっており、前記主制御装置２００からの開放信号が入力された際に前記間欠的な作動信号を電磁ソレノイド７２,９０に出力する。すなわち前記始動入賞装置６０は、主制御装置２００と電磁ソレノイド７２との間に配設された前記間欠制御装置２０３により、開閉体６７を開放位置に保持するに際して電磁ソレノイド９０が間欠的に励磁されるようになっている。同様に、前記特別入賞装置８０は、主制御装置２００と電磁ソレノイド９０との間に配設された前記間欠制御装置２０３により、開閉扉８２を開放位置に保持するに際して電磁ソレノイド９０が間欠的に励磁されるようになっている。
【００６３】
前記間欠制御装置２０３は、図２２に示すように、連続信号生成回路(連続信号生成手段)２１０と、間欠信号生成回路(間欠信号生成手段)２１１と、作動信号生成回路(間欠信号生成手段)２１２を備えている。前記連続信号生成回路２１０は、前記主制御装置２００からの開放信号が入力された際に、開閉体６７または開閉扉８２が閉鎖位置から開放位置まで開放完了するのに必要充分な時間に亘り、前記電磁ソレノイド７２,９０を連続的に励磁するための連続的な作動信号を生成する回路である。前記間欠信号生成回路２１１は、開閉体６７または開閉扉８２を前記開放位置に保持可能な間隔で前記電磁ソレノイド９０を励磁させる間欠的な作動信号を生成する発振回路で、水晶振動子等による周期的な信号に基づいて間欠的な作動信号を生成する。そして、前記連続信号生成回路２１０が生成した連続的な作動信号と、前記間欠信号生成回路２１１が生成した間欠的な作動信号とは、合成回路２１３により合成されるようになっている。前記作動信号生成回路２１２は、前記主制御装置２００からの開放信号が入力されている状態で、前記合成回路２１３により生成された作動信号を前記電磁ソレノイド７２,９０へ出力すると共に、前記主制御装置２００からの開放信号の入力が停止すると、合成回路２１３により生成された作動信号の電磁ソレノイド７２,９０への出力を停止する回路である。すなわち、間欠制御装置２０３は、少なくとも開閉体６７または開閉扉８２が前記閉鎖位置から開放位置まで姿勢変位する間は、前記電磁ソレノイド７２,９０に対し連続的な作動信号を出力して該電磁ソレノイド７２,９０を連続的に励磁させ、前記開閉体６７または開閉扉８２が開放位置に姿勢変位完了後は、電磁ソレノイド７２,９０に間欠的な作動信号を出力して該電磁ソレノイド７０,９０を間欠的に励磁させるようになっている。
【００６４】
実施例の間欠制御装置２０３では、図２３(ａ)に示すように、連続信号生成回路２１０では２００ｍｓ(０.２秒)の連続的な信号を生成するようになっており、始動入賞装置６０の開閉体６７または特別入賞装置８０の開閉扉８２を閉鎖位置から開放位置まで姿勢変位させるために、電磁ソレノイド７２,９０を２００ｍｓに亘って連続的に励磁させる。また、間欠信号生成回路２１１は、周波数５００Ｈｚで、１周期におけるＯＮとＯＦＦとが同じ時間となる間欠的な信号を生成するようになっており、始動入賞装置６０の開閉体６７または特別入賞装置８０の開閉扉８２を開放位置に保持するために、電磁ソレノイド７２,９０を５００回／秒で間欠的に励磁させる。従って、実施例の始動入賞装置６０は、開閉体６７,６７を開放位置に保持する際に、電磁ソレノイド７２が５００回／秒で間欠的に励磁されるため、該電磁ソレノイド７２のプランジャ７２Ａは本体内に引き込まれた状態に停止保持され、これにより該開閉体６７,６７は開放位置に停止保持されるようになっている。また、実施例の始動入賞装置８０は、開閉扉８２を開放位置に保持する際に、電磁ソレノイド９０が５００回／秒で間欠的に励磁されるため、該電磁ソレノイド９０のプランジャ９０Ａは本体内に引き込まれた状態に停止保持され、これにより該開閉扉８２は開放位置に停止保持されるようになっている。
【００６５】
なお、前記始動入賞装置６０では、後述するように、前記ゲート部材３４にパチンコ球が通過したことを条件として行なわれた抽選により所定の条件が成立すると、前記主制御装置２００は、開閉体６７,６７を設定時間(例えば、０.１秒)だけ開閉動作させる開放信号を出力するようになっている。このような条件では、図２３(ｂ)に示すように、主制御装置２００からの開閉体６７の開閉制御に係る開放信号の出力が停止された時点で、作動信号生成回路２１２からの電磁ソレノイド７２への作動信号の出力は停止され、該電磁ソレノイド７２は間欠的に励磁されないようになっている。すなわち、前記間欠制御装置２０３によれば、各開閉体６７,６７を瞬間的に開閉動作させる所謂短開閉制御を行なうことが可能である。
【００６６】
また、前記間欠制御装置２０３では、間欠信号生成回路２１１において、１周期においてＯＮよりＯＦＦの時間が長い間欠的な信号を生成して、電磁ソレノイド７２,９０を間欠的に励磁させる際に励磁時間より非励磁時間を長くすることも可能である。このような間欠的な作動信号を生成することで、前記始動入賞装置６０における開閉体６７および特別入賞装置８０における開閉扉８２を、少なくともパチンコ球が入賞可能に前記第２始動入賞口６４または入賞口８５を開いた状態より前記開放位置側に前記開閉体６７または開閉扉８２を位置するように前記電磁ソレノイド７２,９０を間欠的に励磁させることが可能となる。すなわち、始動入賞装置６０においては、図１８(ｃ)に示すように、間欠制御装置２０３により電磁ソレノイド７２を間欠的に励磁した際に、前記開閉体６７,６７が開放位置から閉鎖位置側へ適宜姿勢変位したとしても、第２始動入賞口６４に対するパチンコ球(図に２点鎖線で示す)の入賞が可能であるから、該第２始動入賞口６４に対するパチンコ球の入賞確率が向上した状態を維持できる。また、前記特別入賞装置８０においては、図２１(ｃ)に示すように、間欠制御装置２０３により電磁ソレノイド９０を間欠的に励磁した際に、前記開閉扉８２が開放位置から閉鎖位置側へ適宜姿勢変位したとしても、入賞口８５に対するパチンコ球(図に２点鎖線で示す)の入賞が可能であるから、該入賞口８５に対するパチンコ球の入賞確率が向上した状態を維持できる。
【００６７】
また、前記間欠制御装置２０３では、間欠信号生成回路２１１において、周波数が低い間欠的な作動信号を生成して、電磁ソレノイド７２,９０を間欠的に励磁させる際に非励磁時間の間隔を長くすることも可能である。このような周波数が低い間欠的な作動信号によれば、電磁ソレノイド７２の非励磁時間が長くなるから、圧縮コイルバネ７５,９２の付勢力によりプランジャ７２Ａ,９０Ａが動くようになる。そこで、前記始動入賞装置６０は、開閉体６７と開閉機構６８との間にクリアランスを設けることで、電磁ソレノイド７２の非励磁時間を長くして該電磁ソレノイド７２の間欠的な励磁によりプランジャ７２Ａが僅かに動いても、開閉体６７を開放位置に停止させることができる。同様に、前記特別入賞装置８０は、開閉扉８２と開閉機構８３との間にクリアランスを設けることで、電磁ソレノイド９０の非励磁時間を長くして該電磁ソレノイド９０の間欠的な励磁によりプランジャ９０Ａが僅かに動いても、開閉扉８２を開放位置に停止させることができる。
【００６８】
例えば、前記特別入賞装置８０では、図２４に示すように、前記電磁ソレノイド９０側に連結された前記連係部材９１におけるレバー部９１Ｂと、前記開閉扉８２における連係凹部８９とを、該開閉扉８２の開放位置において、間欠的に励磁する前記電磁ソレノイド９０により動作される該連係部材９１のレバー部９１Ｂの動作範囲より大きいクリアランスＣＬをもって連係するようにすれば、電磁ソレノイド９０の間欠的な励磁に際して開閉扉８２を開放位置に停止させ得る。すなわち開閉扉８２は、開放位置において装置本体８１に係止するストッパ９３を備えて、該開放位置より下方へ回転することが規制される構造とし、連係部材９１のレバー部９１Ｂは、電磁ソレノイド９０の励磁状態において開閉扉８２に設けた連係凹部８９より上方に離間して位置するように設定すれば、開閉扉８２の開放位置において、該レバー部９１Ｂと連係凹部８９との間に所定のクリアランスＣＬが画成される。従って、前記特別入賞装置８０では、電磁ソレノイド９０側に連結された連係部材９１におけるレバー部９１Ｂと、開閉扉８２における連係凹部８９とを、間欠的に励磁する電磁ソレノイド９０により動作される該連係部材９１のレバー部９１Ｂの動作範囲より大きいクリアランスＣＬをもって連係するようにすれば、電磁ソレノイド９０の間欠的な励磁に際して開閉扉８２を開放位置に停止させ得る。また、前記始動入賞装置６０では、電磁ソレノイド７２側に連結された第２連係部材７４におけるレバー部７４Ｂの凹部７４Ｃと、各開閉体６７における連係ピン７１とを、図１８(ｂ)に示す各開閉体６７の開放位置において、間欠的に励磁する前記電磁ソレノイド７２により動作される該第２連係部材７４のレバー部７４Ｂの動作範囲より大きいクリアランスをもって連係するようにすれば、電磁ソレノイド７２の間欠的な励磁に際して各開閉体６７を開放位置に停止させ得る。
【００６９】
従って、前記間欠制御装置２０３の制御に基づく始動入賞装置６０の電磁ソレノイド７２および特別入賞装置８０の電磁ソレノイド９０の作動態様によれば、開閉体６７または開閉扉８２を開放位置に保持させる際の電磁ソレノイド７２,９０に対する通電時間が短縮され、これにより当該電磁ソレノイド７２,９０の発熱を抑えることができ、電磁ソレノイド７２,９０の性能低下や故障を防止し得る。そして、開閉体６７または開閉扉８２を開放位置に保持させることによる前記電磁ソレノイド７２,９０の発熱が抑えられるから、該開閉体６７または開閉扉８２を開放位置に長く保持することも可能となる。また、開閉体６７または開閉扉８２を開放位置に保持する際に電磁ソレノイド７２,９０を間欠的に通電するから、通電時間が短くなって消費電力を低減することもできる。一方、開閉体６７または開閉扉８２を閉鎖位置から開放位置まで変位させる際には、少なくとも該開閉体６７または開閉扉８２が閉鎖位置から開放位置まで姿勢変位する間は電磁ソレノイド７２,９０が連続的に励磁されるから、該開閉体６７または開閉扉８２を開放位置へ適切かつ確実に変位させることができる。
【００７０】
更に、前記間欠制御装置２０３は、連続的な作動信号を生成する連続信号生成回路２１０と、間欠的な作動信号を生成する間欠信号生成回路２１１と、連続的な作動信号の出力に続いて間欠的な作動信号の出力を行なう作動信号生成回路２１２を備えて、電磁ソレノイド７２,９０を間欠的に励磁させる間欠的な作動信号を該間欠制御装置２０３内で生成して出力することができるから、主制御装置２００と電磁ソレノイド７２,９０との間に間欠制御装置２０３を介在させるだけで電磁ソレノイド７２,９０を間欠的に励磁する制御系が構成され、主制御装置２００は従来構成のものを使用することができる。
【００７１】
前記始動入賞装置６０、特別入賞装置８０、普通入賞具２８および前記ゲート部材３４に配設した球検出スイッチからの球検知信号は、前記設置部材１００の後側に取り付けられて当該パチンコ機Ｐを総合的に制御する主制御装置２００(図２４)に送出される。前記主制御装置２００は、前記ゲート部材３４の球検出スイッチ４４からの検出信号を受けると適宜の抽選を行ない、この抽選により予め設定された条件が成立すると、始動入賞装置６０の開閉体６７,６７の開放時間を決定し、この開放時間に亘って連続的に開放信号を間欠制御装置２０３へ出力する。そして間欠制御装置２０３では、前述したように主制御装置２００からの開放信号が入力されると、前記連続信号生成回路２１０において生成された連続的な作動信号と間欠信号生成回路２１１で生成された間欠的な作動信号とを合成回路２１３で合成し、作動信号生成回路２１２は、先ず生成された連続的な作動信号を電磁ソレノイド７２へ出力する。これにより、電磁ソレノイド７２が連続的に励磁され、開閉体６７,６７が閉鎖位置から開放位置まで姿勢変位する。なお、間欠制御装置２０３の作動信号生成回路２１２は、電磁ソレノイド７２に対する連続的な作動信号の出力中に前記主制御装置２００からの開放信号の入力が停止した場合には、その時点で電磁ソレノイド７２への連続的な作動信号の出力を停止し、これにより電磁ソレノイド７２の励磁が停止するので各開閉体６７,６７は閉鎖位置へ姿勢変位する。また、間欠制御装置２０３の作動信号生成回路２１２は、電磁ソレノイド７２に対する連続的な作動信号の出力完了時において前記主制御装置２００からの開放信号が入力されていれば、該電磁ソレノイド７２に間欠信号生成回路２１１で生成された間欠的な作動信号を出力し、該電磁ソレノイド７２を間欠的に励磁して開閉体６７,６７を開放位置に保持させる。これにより始動入賞装置６０は、電磁ソレノイド７２の間欠的な励磁により開閉体６７,６７を開放位置に保持させることで、第２始動入賞口６４が所定の時間に亘って開放するのでパチンコ球の入賞確率が高められる。一方、主制御装置２００は、始動入賞装置６０の球検出スイッチ６９からの検出信号を受けると、前記払出制御装置に作動信号を出力して前記球払出装置に所定数の賞球を払い出させる。
【００７２】
そして前記主制御装置２００は、前記始動入賞装置６０の球検出スイッチ６９からの検出信号を受けると、大当たり抽選を行なうと共に、前記設置部材１００の後側に取り付けられた統括制御装置(図示せず)に作動信号を出力して前記図柄表示装置Ｈに図柄変動演出を行なわせると共に、前記中枠Ｂの後側に配設された払出制御装置(図示せず)に作動信号を出力して、球払出装置(図示せず)に所定数の賞球を払い出させる。ここで、前記主制御装置２００における前記大当たり抽選の結果として特定条件(大当たり図柄の三つ揃い等)が成立して特別遊技状態が発生する場合には、図柄表示装置Ｈの表示部Ｈ１での図柄変動演出の後に、該表示部Ｈ１に所定の図柄組合わせで図柄が停止表示されると共に、前記主制御装置２００は、特別入賞装置８０の開閉扉８２の開放時間を決定し、この開放時間に亘って連続的に開放信号を間欠制御装置２０３へ出力する。そして間欠制御装置２０３では、前述したように主制御装置２００からの開放信号が入力されると、前記連続信号生成回路２１０において生成された連続的な作動信号と間欠信号生成回路２１１で生成された間欠的な作動信号とを合成回路２１３で合成し、作動信号生成回路２１２は、先ず生成された連続的な作動信号を電磁ソレノイド９０へ出力する。これにより、電磁ソレノイド９０が連続的に励磁され、開閉扉８２が閉鎖位置から開放位置まで姿勢変位する。そして、間欠制御装置２０３の作動信号生成回路２１２は、電磁ソレノイド９０に対する連続的な作動信号の出力完了時において前記主制御装置２００からの開放信号が入力されていれば、該電磁ソレノイド９０に間欠信号生成回路２１１で生成された間欠的な作動信号を出力し、該電磁ソレノイド９０を間欠的に励磁して開閉扉８２を開放位置に保持させる。これにより特別入賞装置８０は、電磁ソレノイド９０の間欠的な励磁により開閉扉８２を開放位置に保持させることで、入賞口８５が所定の時間に亘って開放するので多数のパチンコ球の入賞が可能となる。また主制御装置２００は、前記特別入賞装置８０の球検出スイッチ８４からの検出信号を受けると、前記払出制御装置に作動信号を出力して前記球払出装置に所定数の賞球を払い出させる。更に主制御装置２００は、前記普通入賞具２８の球検出スイッチ(図示せず)からの検出信号を受けたり、前記普通入賞口９５に対応の球検出スイッチ１６１(図３１参照)からの検出信号を受けると、前記払出制御装置に作動信号を出力して前記球払出装置に所定数の賞球を払い出させる。
【００７３】
(設置部材)
前記設置部材１００は、図４、図２５および図３３に示すように、前方に開放する略矩形のバケット状に形成された合成樹脂製の部材であって、前側の開放端を遊技盤Ｄの後面に突き合わせて該遊技盤Ｄに取り付けられる。この設置部材１００は、遊技盤Ｄの後面に対して後方から所要の間隔で対向して該遊技盤Ｄの後面を構成する設置壁部１０１と、この設置壁部１０１の周縁から前方へ延出形成された外周壁部１０２と、この外周壁部１０２の前端から外方に向けて屈曲形成された縁板部１０３等を備えている。すなわち設置部材１００は、外周壁部１０２で囲われて遊技盤Ｄ側に開放して前部開口が矩形状に形成されると共に、縁板部１０３の外周縁が、遊技盤Ｄの外周縁より一回り小さい形状および大きさで形成されている。このような設置部材１００は、縁板部１０３を遊技盤Ｄの後面にネジ止めすることで該遊技盤Ｄに固定され、遊技盤Ｄの後面から離間した設置壁部１０１の前側に、装飾部材や、可動演出装置１２０を含む複数の可動演出装置等の配設を可能とする配設空間ＳＰを画成するよう構成されている。
【００７４】
前記設置部材１００の設置壁部１０１には、図３および図４に示すように、前後に貫通する略矩形の表示開口１０４が形成されている。また、設置壁部１０１の後側には、前記図柄表示装置Ｈを固定するための固定部１０５が設けられ、表示部Ｈ１を表示開口１０４に臨ませた状態で該図柄表示装置Ｈが着脱可能に取り付けられる。前記図柄表示装置Ｈは、各種図柄を表示可能な表示部Ｈ１をなす液晶パネルが収容ケースに収容されたユニット部材であって、該収容ケースの後面には、該図柄表示装置Ｈの表示部Ｈ１の表示制御を行なう表示制御装置(図示せず)や、当該パチンコ機Ｐの遊技演出を統括的に制御する統括制御装置(図示せず)が配設される。統括制御装置には、設置壁部１０１の後側に配設した第２中継基板１１２(図４参照)を介して前記図柄表示装置Ｈ、前記前枠Ｃに配設されたランプ装置や前記中枠Ｂに配設されたスピーカ等が電気的に接続されており、該統括制御装置から出力される作動信号に基づいて各装置が作動制御される。また統括制御装置には、第２中継基板１１２を介して、設置壁部１０１の前側に配設された前記装飾部材に配設された照明装置や前記可動演出装置１２０等に配設された駆動装置や照明装置から導出した配線が電気的に接続されており、該統括制御装置から出力される作動信号に基づいて各照明装置の点灯制御や可動演出装置１２０の作動が制御される。
【００７５】
前記設置部材１００には、図４および図２５に示すように、前記設置壁部１０１において前記表示開口１０４の下側に位置する下板部１０１Ａの後側に、複数(実施例では２つ)の基板設置部１０６,１０７が形成されている。なお、以下の説明において、左側(図４では右側)に位置する基板設置部１０６を「第１基板設置部」と指称し、左右中央に位置する基板設置部１０７を「第２基板設置部」と指称する。すなわち、第１基板設置部１０６には第１中継基板１０８が保持され、第２基板設置部１０７には第２中継基板１１２が保持される。なお、前記下板部１０１Ａの後側には、主制御装置２００が取り付けられる取付部材(図示せず)が着脱自在に配設される。
【００７６】
(第１中継基板および第２中継基板)
前記第１中継基板１０８の表面１０８Ａには、前記始動入賞装置６０に配設された球検出スイッチ６９、特別入賞装置８０に配設された球検出スイッチ８４、普通入賞具２８に入賞した入賞球を検出する球検出スイッチ(図示せず)、前記普通入賞具９５に入賞した入賞球を検出する球検出スイッチ１６１からの各配線(図示せず)や、前記ゲート部材３４に配設された球検出スイッチ４４からの配線ＷＨが接続されるコネクタ接続端子１１０等が配設されている。また、第１中継基板１０８の表面１０８Ａには、前記主制御装置からの配線(図示省略)が接続されるコネクタ接続端子１１１等も配設されている。従って第１中継基板１０８は、前記始動入賞装置６０、特別入賞装置８０、普通入賞具２８および普通入賞口９５、ゲート部材３４の球検出スイッチ４４等と主制御装置とを電気的に接続する。また、前記第２中継基板１１２は、前記主制御装置２００からの配線、前記統括制御装置からの配線、前記可動演出装置１２０からの配線(何れも図示せず)等が多数接続され、これらを電気的に接続する。
【００７７】
(配線保持構造)
次に、前記設置部材１００に設けた配線保持構造について、図面を引用して説明する。実施例のパチンコ機Ｐは、図４、図２５および図２６に示すように、前記設置部材１００の右部(図４では左側)に、配線保持部１５０が設けられている。この配線保持部１５０は、前記ゲート部材３４から前記遊技盤Ｄの後側へ引き出された前記配線ＷＨを、設置部材１００に保持するものである。
【００７８】
(部品挿入部)
前記遊技盤Ｄには、図５、図２６〜図２８および図２９(ａ)に示すと共に前述するように、前記第２の流下経路１７における球流下領域４１の略中央に、該遊技盤Ｄの基材１０を前後に貫通する前記部品挿入部４３が設けられている。すなわち部品挿入部４３は、遊技盤Ｄの右縁近傍において、該遊技盤Ｄの上下方向の略中央に形成されている。この部品挿入部４３は、前記ゲート部材３４を、遊技盤Ｄの前側から挿入して設置可能な開口サイズに形成され、該ゲート部材３４に配設された球検出スイッチ４４から引き出された前記配線ＷＨが、遊技盤Ｄの後側へ引き出されるのを許容する。
【００７９】
(配線挿通部)
そして、図５、図２７、図２８および図２９(ａ)に示すように、前記遊技盤Ｄの後面には、前記部品挿入部４３の後側開口位置から、前記設置部材１００の外周壁部１０２の開口前側端部が当接する位置の方向へ延在する配線挿通部１５１が設けられている。この配線挿通部１５１は、前記遊技盤Ｄの後面から所要深さに凹むと共に、前記部品挿入部４３の後側開口位置から水平右方へ延在する溝状の陥凹部である。なお、実施例の前記配線挿通部１５１は、遊技盤Ｄの右端まで延在して該右端に開口するように形成されているが、前記設置部材１００の開口前側端部が当接する位置まで延在するように設けてもよい。また配線挿通部１５１は、遊技盤Ｄの後面と同一平面に構成してもよい。
【００８０】
(配線ガイド部)
図２７、図２８および図２９(ｂ)に示すように、前記配線挿通部１５１の形成位置と前後に対向する位置に、設置部材１００の外周壁部１０２の右壁部前縁側から前記設置空間ＳＰ内へ延出する配線ガイド部１５２が形成されている。この配線ガイド部１５２は、前記部品挿入部４３と前後に対向する位置まで延出するように形成されている。そして配線ガイド部１５２は、図２６〜図２８および図２９(ｂ)に示すように、前記配線挿通部１５１および部品挿入部４３の後側開口より後側へ離間し、前記外周壁部１０２の開口前側端部より後側に位置する第１ガイド壁１５２Ａと、この第１ガイド壁１５２Ａの外縁から前方へ延出して前記部品挿入部４３の後側開口および配線挿通部１５１を囲繞する第２ガイド壁１５２Ｂとから形成されている。前記第１ガイド壁１５２Ａは、前記部品挿入部４３の後側から前記外周壁部１０２に近づくにつれて徐々に後方へ変位するように形成されている(図２７、図２９(ｂ)参照)。また前記第２ガイド壁１５２Ｂは、前記外周壁部１０２の開口前側端部と同じ位置まで前方へ延出しており、前記遊技盤Ｄの後面に接触するように形成されている。
【００８１】
従って、前記遊技盤Ｄと前記設置部材１００との組付け状態においては、図２６〜図２８および図３０に示すように、前記配線ガイド部１５２の第２ガイド壁１５２Ｂが遊技盤Ｄの後面に当接することで、前記配線挿通部１５１と該配線ガイド部１５２との間に、前記部品挿入部４３の後側開口に連通すると共に設置部材１００の外周壁部１０２から該設置部材１００の右側外方へ開口する配線引出し空間１５３が形成されるようになっている。すなわち、前記部品挿入部４３に配設した前記ゲート部材３４に備えられた球検出スイッチ４４からの配線ＷＨが、前記配線引出し空間１５３を介して前記設置部材１００の右側外方へ引き出し可能になっている。
【００８２】
(外周凹部)
図２５〜図２７および図３０に示すように、前記外周壁部１０２の右部分において、前記配線引出し空間１５３が開口する部位には、該外周壁部１０２の外面における右外面１０２Ａより前記設置空間ＳＰ側へ凹むと共に前記配線引出し空間１５３に連通する外周凹部１５４が、該外周壁部１０２の前端から後側に向けて延在するよう設けられている。従って、配線引出し空間１５３から引き出した前記配線ＷＨは、前記外周凹部１５４に沿わせて設置部材１００の後側へ引き出すよう構成されている。これにより、配線引出し空間１５３から引き出して外周凹部１５４に沿わせて設置部材１００の後側へ引き出した配線ＷＨは、外周壁部１０２の右外面１０２Ａより外側へはみ出し難くなっている。
【００８３】
(第１配線保持部)
前記外周壁部１０２の右壁部外側には、図２５、図２６および図３０に示すように、該外周壁部１０２の右外面１０２Ａとの間に前記配線ＷＨを挟み込み可能な第１配線保持空間１５６を画成する第１配線保持部１５５が設けられている。この第１配線保持部１５５は、前記配線引出し空間１５３における外周壁部１０２の右外面１０２Ａに臨む開口部の後側に離間した位置から、該右外面１０２Ａに沿って前後方向と交差する下方へ所要長に延在すると共に後方へ延出した板状壁部である。すなわち第１配線保持部１５５は、外周壁部１０２における段部１０２Ｂから後方へ延出しており、該第１配線保持部１５５と外周壁部１０２との間に、後方、上方および下方に開口した前記第１配線保持空間１５６を画成するようになっている。従って前記配線ＷＨは、前記第１配線保持空間１５６に対して、上方、後方および下方の順で挿入することで挟み込み得ると共に、該第１配線保持空間１５６に挟み込んだ該配線ＷＨを保持し得るようになっている。なお、第１配線保持部１５５は、その上縁から後縁に亘って凸曲縁状の案内縁１５５Ａが形成されており、前記配線引出し空間１５３から引出した配線ＷＨを、上方から第１配線保持空間１５６へ案内し易く構成されている。
【００８４】
(第２配線保持部)
また、図２５、図２６および図３０に示すように、前後方向と交差する上下方向において、前記第１配線保持部１５５の前記配線引出し空間１５３の開口部と反対側、すなわち前記第１配線保持部１５５の後下方には、前記外周壁部１０２の右外面１０２Ａから右方へ延出した第２配線保持部１５７が設けられている。すなわち第２配線保持部１５７は、外周壁部１０２の右外面１０２Ａから右方へ延出する延出部１５７Ａと、該延出部１５７Ａの突出端から前方へ延出する突片部１５７Ｂとから形成され、前方へ折れ曲がった鉤状に形成されている。これにより第２配線保持部１５７は、第１配線保持空間１５６に挟み込んだ配線ＷＨに対して後側から接触可能となっており、該配線ＷＨが該第１配線保持空間１５６から後方へ離脱するのを規制する形状となっている。
【００８５】
(第３配線保持部)
更に、図２５、図２６および図３０に示すように、前記設置壁部１０１の右端において、前記第２配線保持部１５７から後側に離間した位置には、前後方向と交差する下方へ延在すると共に後方へ延出した第３配線保持部１５８が設けられている。前記第３配線保持部１５８は、前記図柄表示装置Ｈを設置部材１００に固定するために設置壁部１０１に設けた前記固定部１０５の右側に隣接して形成されている。従って、前記第３配線保持部１５８と前記固定部１０５との間には、後方、上方および下方に開口した第２配線保持空間１５９が画成されている。
【００８６】
前述した実施例の配線保持部１５０では、図３０に示すように、前記配線引出し空間１５３から外周凹部１５４に沿って後側へ引き出した前記配線ＷＨを、下方へ折曲げて前記第１配線保持空間１５６に挟み込んだ後に、該第１配線保持空間１５６に挟み込んで下方へ延在した該配線ＷＨを、前記第２配線保持部１５７に前側から引っ掛けると共に該第２配線保持部１５７の下縁において後側へ折曲げる。そして、第２配線保持部１５７で後方へ折曲げた配線ＷＨは、更に前後方向と交差する下方へ折曲げて前記第２配線保持空間１５９に挟み込んだ後に、前記第１中継基板１０８に設けたコネクタ接続端子１１０まで配線するように構成されている。従って、配線引出し空間１５３から外方へ引き出した配線ＷＨは、後方および下方へ順次折曲げながら第１配線保持空間１５６および第２配線保持空間１５９へ差し込むことで、設置部材１００の外面に沿って適切に配設されると共に安定して保持される。そして、前記第２配線保持空間１５９に差し込んだ配線ＷＨは、設置壁部１０１の下板部１０１Ａの後側を通して前記第１中継基板１０８のコネクタ接続端子１１０に接続される。
【００８７】
従って、実施例の配線保持構造では、遊技盤Ｄの前面に配設されたゲート部材３４に配設した球検出スイッチ４４からの配線ＷＨは、遊技盤Ｄと設置部材１００との組付け状態において対向した配設挿通部１５１と配線ガイド部１５２とにより画成された配線引出し空間１５３を介して設置部材１００の外側へ引き出すことが可能である。これにより、配線ＷＨが設置部材１００と遊技盤Ｄの裏面との間に挟み込まれる不都合を回避でき、挟み込みによる該配線ＷＨの破断を防止し得る。そして、配線ガイド部１５２の第２ガイド壁１５２Ｂが配線挿通部１５１を囲むように遊技盤Ｄの後面に対向するので、配線引出し空間１５３へ引き出された配線ＷＨが該配線引出し空間１５３から設置部材１００の配設空間ＳＰ内へはみ出すことが防止され、部品挿入部４３の後側に位置する前記可動演出装置１２０に配線ＷＨが接触することを防止し、該配線ＷＨを適切に保護し得る。
【００８８】
そして、配線引出し空間１５３から引き出された配線ＷＨは、外周凹部１５４に沿わせて設置部材１００の後側へ引き出すことで、外周壁部１０２の外面より外側へはみ出さなくなるから、設置部材１００を配設した遊技盤Ｄの前記中枠Ｂに対する設置作業に際して該配線ＷＨが中枠Ｂやその他の部分に引っ掛かることが回避され、該配線ＷＨが切断する不都合を防止し得る。更に、設置部材１００の後側へ引き出した配線ＨＷは、第１配線保持部１５５、第２配線保持部１５７および第３配線保持部１５８で折曲げながら第１配線保持空間１５６および第２配線保持空間１５９に挟み込んで保持するようになっているから、該配線ＷＨが設置部材１００の外側で弛んだり、前後方向、左右方向および上下方向ずれ動くことを防止し得る。
【００８９】
(球排出構造)
次に、前記特別入賞装置８０に設けられた球受け部としての前記普通入賞口９５に入賞したパチンコ球の排出構造について説明する。前記遊技盤Ｄには、図５、図３１、図３２および図３４(ａ)に示すように、前記普通入賞口９５の後側に対応する位置に、前後に貫通する貫通口１６５が形成され、前記普通入賞口９５に入賞したパチンコ球(図３１、図３２に２点鎖線で示す)は、該貫通口１６５を通過して遊技盤Ｄの後側に案内され、前記設置部材１００の外周壁部１０２の下壁部に設けられた球排出口１６０を介して排出されるようになっている。そして、実施例の球排出構造は、図３１および図３２に示すように、前記遊技盤Ｄの後面に設けられた開口凹部１６６と、前記遊技盤Ｄの後側に配設された通出路形成部１６７とにより、前記貫通口１６５の後側開口と前記球排出口１６０とを連通する球通出路１６８を画成するよう構成されている。すなわち球通出路１６８は、遊技盤Ｄの基材１０の厚みを利用して該遊技盤Ｄの後面から前方へ窪んで形成され、該遊技盤Ｄが球通出路１６８の壁部の一部を構成している。
【００９０】
(開口凹部)
前記開口凹部１６６は、図３１、図３２および図３４(ａ)に示すように、遊技盤Ｄの後面から前方へ窪んだ状態に形成された陥凹部分であって、前記貫通口１６５の形成位置から下方へ延在すると共に後方へ開口するように形成されている。そして前記開口凹部１６６は、前記貫通口１６５の後側開口に整合した上部側に対して下部側が、当該開口凹部１６６の左右開口幅Ｌ２の１／２ほど右方へ変位しており、上下方向の中間部分が右方(図３２では左方)へ斜めに延在している。従って、開口凹部１６６の左壁部(図３２では右側)は、上下方向の中間が、右方(図３２では左方)へ凸となるように延在している。そして、図３１に示すように、前記開口凹部１６６の前記遊技盤Ｄの後面から前方への深さＬ１は、パチンコ球(パチンコ球)の直径以上に設定されている。また、図３２に示すように、開口凹部１６６の左右開口幅Ｌ２は、上下方向の各部位において、パチンコ球(パチンコ球)の２倍程度に設定されている。
【００９１】
(通出路形成部)
前記通出路形成部１６７は、図３１および図３３に示すように、遊技盤Ｄの後側に配設された前記設置部材１００において、前記開口凹部１６６の後側に対応して位置する部位である。そして実施例では、前記設置部材１００に配設された前記可動演出装置１２０におけるベース体１２１が、前記開口凹部１６６の後側に位置するように構成されており、該ベース体１２１が前記球通出路１６８の壁部の一部を構成する通出路形成部１６７として機能するようになっている。なおベース体１２１は、該ベース体１２１に回転可能に配設された可動本体１２２(図１〜図３参照)を作動させるための作動機構が配設されている。
【００９２】
(球通出口)
前記ベース体１２１には、図３１、図３３および図３４(ｂ)に示すように、前記開口凹部１６６の下部に対向する部位に、前方へ開口すると共に下方に開口する退避凹部１６９が形成されている。この退避凹部１６９は、前側開口における上下幅および左右幅が何れもパチンコ球の直径より大きく設定されると共に、下側開口における左右幅も該パチンコ球の直径より大きく設定されている。そして、遊技盤Ｄに対する前記設置部材１００の配設状態において、前記退避凹部１６９の前側開口は前記開口凹部１６６の開口下部に位置すると共に、該退避凹部１６９の下側開口が前記球排出口１６０の上側に配設された球検出スイッチ１６１の球検出口の上部に位置するようになっており、球通出路１６８と該球排出口１６０とが該退避凹部１６９により空間的に連通されている(図３１)。従って、前記球通出路１６８内を下方へ流下したパチンコ球は、前記退避凹部１６９を介して球検出スイッチ１６１へ案内され、該球検出スイッチ１６１を通過して前記球排出口１６０へ案内される。
【００９３】
(球誘導壁部)
また、前記ベース体１２１の前面には、図３３および図３４に示すように、遊技盤Ｄに対する設置部材１００の配設状態において前記開口凹部１６６に嵌り込む球誘導壁部１７０が設けられている。この球誘導壁部１７０は、前記ベース体１２０から前方へ延出すると共に、開口凹部１６６における左壁から下壁に沿って延在する形状に形成されており、開口凹部１６６の左壁に沿う傾斜壁１７０Ａおよび開口凹部１６６の下壁に沿う下壁１７０Ｂを備えている。前記傾斜壁１７０Ａは、上下の中間部分が下に向かうにつれて右方へ傾斜している。従って球誘導壁部１７０は、開口凹部１６６内に嵌り込むと、前記球通出路１６８における左壁および下壁を構成して貫通口１６５の下方へ迫り出すようになり、該貫通口１６５を通過した遊技盤Ｄを左方から案内するようになっている。そして球誘導壁部１７０は、図３１に示すように、前記ベース体１２０から前方への延出長Ｌ３が、前記開口凹部１６６の深さＬ１と同じか僅かに小さく設定されている。従って、前記ベース体１２１のケース部１２１Ｂが遊技盤Ｄの後面に接触した状態でも、球誘導壁部１７０は開口凹部１６６内に適切に嵌り込むようになる。
【００９４】
また、前記球誘導壁部１７０の下壁１７０Ｂは、図３２および図３４(ｂ)に示すように、該球誘導壁部１７０における前記退避凹部１６９の前側開口下縁に位置し、該下壁１７０Ｂの上面には、前記球排出口１６０に向けてパチンコ球を案内する案内リブ(案内部)１７１が設けられている。この案内リブ１７１は、前記球誘導壁部１７０における前記退避凹部１６９の前側開口下縁に位置する部位に、上方へ突出すると共に後方へ延在しており、パチンコ球を当て受ける上端縁が、前から後に向けて下方傾斜した形状となっている。
【００９５】
更に、前記ベース体１２１の前面には、図３２および図３４(ｂ)に示すように、前記退避凹部１６９の前側における前記球誘導壁部１７０と反対側に、該球誘導壁部１７０の下壁１０７Ｂに連設されると共に上方へ延出する案内壁１７２が、前方へ延出した状態で設けられている。この案内壁１７２は、前端が退避凹部１６９の前方に位置し、この前端から後に向かうにつれて前記退避凹部１６９の右方へ変位するよう傾斜しており、前記球誘導壁部１７０に沿って下方へ移動した球を、球排出口１６０の方向へ変向させるように機能する。従って、球誘導壁部１７０で下方へ案内されたパチンコ球は、前記案内リブ１７１の上端縁に接触と共に案内壁１７２に接触することで退避凹部１６９側へ移動方向が変向されて、該退避凹部１６９を介して球排出口１６０に案内される。
【００９６】
(普通入賞口)
前記普通入賞口９５は、図１９、図３１および図３２に示すように、前記前面パネル８７から前方へ突出すると共に上方に開口してパチンコ球を受入れ得る形状に形成され、前記前面パネル８７に形成した球通口に整合するよう該前面パネル８７から後側へ突出した球通出部１７６を備えている。前記球通出部１７６は、上方および後方へ開口した半樋部であり、前記貫通口１６５に挿通可能なサイズに形成されている。そして、球通出部１７６の後方への延出長は、前記貫通口１６５の前後長と同じに設定されており、該貫通口１６５へ挿通された球通出部１７６の後端は、前記開口凹部１６６の底部に臨むように構成されている。
【００９７】
前述のように構成された前記球通出路１６８は、図３１および図３２に示すように、その前壁および上壁から右壁に亘る部分が遊技盤Ｄにより構成され、左壁から下壁に亘る部分が前記球誘導壁部１７０により構成され、後壁が前記ベース体１２１の前カバー部１２１Ａにより構成されている。これにより球通出路１６８は、遊技盤Ｄ内に画成されて該遊技盤Ｄの後面から後方へ突出していないから、遊技盤Ｄの前側から後側へのパチンコ球の排出経路をコンパクトに構成することができる。そして、前記設置部材１００に設けられた可動演出装置１２０のベース体１２１を、球通出路１６８を構成する通出路形成部としたから、ベース体１２１を遊技盤Ｄの後面に接触する位置に配設することができ、遊技盤Ｄの後面から後側へ突出するベース体１２１の突出量を小さくすることができる。これにより、遊技盤Ｄの後側に配設されるの装飾部材や可動演出装置の設置部材に対する配設自由度を高めることができる。
【００９８】
また、球通出路１６８内に、前記ベース体１２１のベース体１２０の前側に設けた球誘導壁部１７０を嵌り込むようにしたから、貫通口１６５を介して球通出路１６８内へ案内されたパチンコ球を、垂直に落下させずに前記球誘導壁部１７０により右下方へ案内することで勢いを適宜低減させたもとで、球排出口１６０に向けて適切に案内して排出させることができる。しかも、球誘導壁部１７０の底部には、球排出口１６０に向けて後方傾斜する案内リブ１７１が設けられていると共に、該球誘導壁部１７０と対向する案内壁１７２も設けられているから、該案内リブ１７１および案内壁１７２によりパチンコ球を球排出口１６０へ適切に案内することができる。
【００９９】
(変更例)
本発明に係る遊技機は、実施例に例示の形態に限らず種々の変更が可能である。
（１）間欠制御手段としての間欠制御装置２０３は、統括制御装置により制御される前記可動演出装置１２０等、電磁ソレノイドで可動体を姿勢変位させると共に該可動体を作動位置に停止保持するようにする各種の可動演出装置の該電磁ソレノイドの励磁制御に使用することも可能である。例えば図３６(ａ)は、ベース本体１３１と、該ベース本体１３１に略水平状態で支持された可動体としての演出可動体１３２とを備えた可動演出装置１３０を示している。前記演出可動体１３２は、前記ベース本体１３１に支持されたスライドベース１３３と、該スライドベース１３３にスライド移動可能に支持されたスライド本体１３４と、スライドベース１３３に対してスライド本体１３４をスライド移動させるスライド機構１３５とを備えている。スライド機構１３５は、図３６(ｂ)に示すように、スライドベース１３３に設けられて、間欠制御装置２０３からの作動信号により励磁制御される電磁ソレノイド１３６と、該電磁ソレノイド１３６とスライド本体１３４とを連係する４本のリンク体１３８,１３９,１４０,１４１からなる連係機構１３７とを備えている。これにより、電磁ソレノイド１３６の非励磁時では、スライド本体１３４は初期位置に保持され(図３６(ａ)に２点鎖線で示す)、該電磁ソレノイド１３６の励磁時には、各リンク体１３８,１３９,１４０,１４１が各々姿勢変位してスライド本体１３４が作動位置(図３６(ｂ)に実線で示す)に移動するよう構成されている。
【０１００】
そして、前記可動演出装置１３０では、図３６(ｂ)に示すように、電磁ソレノイド１３６のプランジャ１３６Ａに固定された連結体１４２と連係機構１３７におけるリンク体１３８とが、該連結体１４２に形成された連結孔１４２Ａに該リンク体１３８に形成された連結ピン１３８Ａが遊嵌状態で嵌合することで連結されている。そして、前記連係孔１４２Ａと連結ピン１３８Ａとの間には、電磁ソレノイド１３６の励磁時にクリアランスＣＬが形成されている。このクリアランスＣＬは、スライド本体１３４の作動位置において、前記間欠制御装置２０３から出力される間欠的な作動信号により電磁ソレノイド１３６が間欠的に励磁制御された際に、プランジャ１３６Ａの進退移動による前記連結体１４２の移動範囲より大きく設定されている。このような構成によれば、スライド本体１３４を作動位置に停止保持させるに際して、間欠制御装置２０３による電磁ソレノイド１３６の間欠的な励磁に基づいて連結体１４２が動いても、該連結体１４２の振動が前記連係機構１３７により吸収され、前記スライド本体１３４を作動位置に停止保持させることができる。従って前記可動演出装置１３０では、スライド本体１３４を作動位置に停止保持させる際の電磁ソレノイド１３６に対する通電時間が短縮され、当該電磁ソレノイド１３６の発熱を抑えることができると共に電磁ソレノイド１３６の性能低下や故障を防止し得る。なお、前記クリアランスＣＬは、リンク体１４０に設けられた連結ピン１４０Ａと、リンク体１４１に設けられて該連結ピン１４０Ａが嵌合する連結孔１４１Ａとの間に設けるようにしてもよい(図３６(ｂ)参照)。
【０１０１】
（２）球案内路４２は、前記枠状装飾部材３５に設けられたものに限らず、パチンコ球を案内する壁部４７が、球通入口４５から球通出口４６に亘って連続的に形成されたものであれば、該枠状装飾部材３５と別体に構成されて、遊技盤Ｄには該枠状装飾部材３５と別々に取付ける形態のものであってもよい。
（３）球案内路４２は、壁部が閉鎖した筒体状に構成されたものに限らず、前方へ開口した半樋状に構成されたものであってもよい。
（４）球案内路４２は、縦方向に延在する縦案内路５２および該縦案内路５２の下端から横方向に延在する横案内路５３とから略Ｌ形に延在するものに限らず、球通入口４５から球通出口４６に向けて連続した湾曲状に延在するものや、球通入口４５から球通出口４６に向けて直線状に延在するものであってもよい。
（５）球案内路４２に設けられる緩衝部は、実施例で例示した４方向から突出するように設ける形態に限るものではなく、複数の方向であれば３方向以下または５方向以上であってもよい。例えば、２方向から突出する場合には、実施例で例示した後緩衝部５５および前緩衝部５６の組合わせや、左緩衝部５７および右緩衝部５８の組合わせ等の対向する２方向の組合わせに限らず、後緩衝部５５と左緩衝部５７との組合わせや、前緩衝部５６と右緩衝部５８との組合わせ等の対向しない２方向の組合わせであってもよい。
（６）実施例では、各後緩衝部５５における後壁部４８の内面４８Ａからの突出量は全て同じに設定したが、各後緩衝部５５毎に突出量が異なるものを複数設けるようにしてもよい。各前緩衝部５６、各左緩衝部５７および各右緩衝部５８についても、前壁部４９の内面４９Ａ、内側壁部５０の内面５０Ａ、外側壁部５１の内面５１Ａからの突出量が異なるものを複数設けるようにしてもよい。
（７）前記第１〜第４の各緩衝部５５,５６,５８,５８の各配設数は、実施例で例示したものに限らず、球案内路４２の長さや配設位置等により適宜変更され得る。
（８）盤面装飾シート２０は、金属反射層２１の裏面に、紙製の台紙等からなる下地材を設けて、該下地材を遊技盤Ｄの基材１０に貼り付けるようにしてもよい。
（９）金属反射層２１における各反射部２５は、縦方向および横方向に整列した碁盤目状に限らず、縦方向にずらして配置したものや、横方向にずらして配置したものであってもよい。また、各反射部２５は、矩形状に限らず、三角形や五角形等の多角形状、円形状または楕円形状等であってもよい。
（１０）金属反射層２１における各反射部２５の凹凸パターンは、複数の円が同心状に形成されたものに限らず、多角形を同心状に形成したもの、ジグザグに形成した、複雑な幾何学模様に形成したもの等、外部光を好適に反射させ得るものであれば様々なパターンが採用される。
（１１）盤面装飾シート２０に設けられる映り込み部２７は、キャラクターやイラスト等のデザイン形状に形成してもよい。
（１２）配線保持部１５０が設けられる位置は、実施例で例示した設置部材１００の外周壁部１０２における右側部分に限定されるものではなく、遊技盤Ｄの後面における配線ＷＨの引き出し位置に近い位置であればよく、外周壁部１０２の左側部分、上側部分または下側部分であってもよい。
（１３）保持対象の配線ＷＨは、ゲート部材からのものに限らず、前記遊技盤Ｄに配設される電気機器や電子機器の全てが対象とされる。
（１４）第１〜第３の配線保持部１５５,１５７,１５８は、実施例で例示した形態に限らず、配線引出し空間１５３の位置および配線ＷＨが接続される基板の位置との関係において、その形成位置やサイズ等が適宜変更される。
（１５）実施例では、球受け部として、特別入賞装置８０の前面パネル８７に設けられた普通入賞口９５を例示したが、この球受け部は、単独で構成されて遊技盤Ｄに取付けられるものであってもいよ。
（１６）配線ガイド部は、設置部材１００の外周壁部１０２に一体的に形成してもよいし、部品挿入部４３の後側に位置して設置部材１００の外周壁部１０２に隣接する部材に設けるようにしてもよい。
（１７）通出路形成部１６７は、可動演出装置１２０のベース体１２１に限らず、設置部材１００に開口凹部１６６に後から対向する壁部を形成して、この壁部を通出路形成部としてもよい。
（１８）通出路形成部１６７は、専用部材として形成して、遊技盤Ｄの裏面に取付けるように構成してもよい。
（１９）前記電磁ソレノイドは、ボビン、銅線、リード線および外装テープ等からなるコイルにダイオードを並列接続するよう構成されたものを採用してもよい。このようにダイオードがコイルに並列に配設された構成を備える電磁ソレノイドの場合では、間欠制御手段から該電磁ソレノイドへの間欠的な作動信号の出力時に、前記コイルに残留した残留磁気の分だけ少ない電流を前記電磁ソレノイドに供給するようにすればよく、可動体を作動位置に保持するために電磁ソレノイドに供給される電流を少なくすることができるので、可動体を作動位置に保持する際の消費電力を更に抑えることができる。
（２０）間欠制御装置は、制御手段としての主制御装置２００の回路内に構成するようにしてもよい。
（２１）実施例では、遊技機としてのパチンコ機を示したが、遊技機はパチンコ機に限られるものではなく、アレンジボール機等であってもよい。
【符号の説明】
【０１０２】
１１ 遊技領域，１６ 第１の流下経路，１７ 第２の流下経路，２９ アウト口  
３０ 釘(流路変更部材)，３４ ゲート部材(流路変更部材)
３５ 枠状装飾部材(装飾部材)，３５Ａ 表示窓口，４１ 球流下領域，４２ 球案内路
４５ 球通入口(通入部)，４６ 球通出口(通出部)，４７ 壁部，５０ 内側壁部
５１ 外側壁部，５０Ａ,５１Ａ 内面，５２ 縦案内路，５５ 後緩衝部(緩衝部)
５６ 前緩衝部(緩衝部)，５７ 左緩衝部(第１緩衝部)，５７Ａ 第１緩衝面(上緩衝面)５７Ｃ 第３緩衝面(下緩衝面)，５８ 右緩衝部(第２緩衝部)
５８Ａ 第１緩衝面(上緩衝面)，５８Ｃ 第３緩衝面(下緩衝面)，６０ 始動入賞装置  
８０ 特別入賞装置，Ｄ 遊技盤
【図１】
0005815429.tif 000002
【図２】
0005815429.tif 000003
【図３】
0005815429.tif 000004
【図４】
0005815429.tif 000005
【図５】
0005815429.tif 000006
【図６】
0005815429.tif 000007
【図７】
0005815429.tif 000008
【図８】
0005815429.tif 000009
【図９】
0005815429.tif 000010
【図１０】
0005815429.tif 000011
【図１１】
0005815429.tif 000012
【図１２】
0005815429.tif 000013
【図１３】
0005815429.tif 000014
【図１４】
0005815429.tif 000015
【図１５】
0005815429.tif 000016
【図１６】
0005815429.tif 000017
【図１７】
0005815429.tif 000018
【図１８】
0005815429.tif 000019
【図１９】
0005815429.tif 000020
【図２０】
0005815429.tif 000021
【図２１】
0005815429.tif 000022
【図２２】
0005815429.tif 000023
【図２３】
0005815429.tif 000024
【図２４】
0005815429.tif 000025
【図２５】
0005815429.tif 000026
【図２６】
0005815429.tif 000027
【図２７】
0005815429.tif 000028
【図２８】
0005815429.tif 000029
【図２９】
0005815429.tif 000030
【図３０】
0005815429.tif 000031
【図３１】
0005815429.tif 000032
【図３２】
0005815429.tif 000033
【図３３】
0005815429.tif 000034
【図３４】
0005815429.tif 000035
【図３５】
0005815429.tif 000036
【図３６】
0005815429.tif 000037